(57)【特許請求の範囲】
【請求項１】
撮影対象者を透過した放射線により示される放射線画像が、予め定められた複数種類の動作モードから選択された動作モードで撮影可能に構成された放射線画像撮影部と、
前記放射線画像撮影部による撮影によって得られた画像情報に予め定められた画像処理を施す画像処理部と、
前記放射線画像撮影部に駆動用の電力を供給する電源部と、
前記放射線画像撮影部に駆動用の電力を供給可能に構成された電源装置および前記画像処理部と同一種類の画像処理を行う画像処理装置と通信ケーブルを介して電気的に接続するための接続部と、
前記動作モードとして予め定められた発熱量以上に発熱する動作モードが選択され、かつ前記接続部に前記電源装置および前記画像処理装置が接続されている場合、前記電源部に代えて当該電源装置を用いると共に、前記画像処理部に代えて当該画像処理装置を用いるように制御する制御手段と、
を備え、
前記予め定められた複数種類の動作モードは、前記放射線画像撮影部による撮影速度が互いに異なる複数の第１動作モード、および前記画像情報の転送速度が互いに異なる複数の第２動作モードの少なくとも一方の動作モードであり、
前記選択された動作モードは、前記複数の第１動作モードの何れか１つの動作モード、および前記複数の第２動作モードの何れか１つの動作モード、の少なくとも一方の動作モードであり、
前記予め定められた発熱量以上に発熱する動作モードは、前記第１動作モードが選択された場合における前記撮影速度が予め定められた撮影速度以上の動作モード、および前記第２動作モードが選択された場合における前記転送速度が予め定められた転送速度以上の動作モードである
放射線画像撮影装置。
【請求項２】
前記制御手段は、前記接続部に前記電源装置および前記画像処理装置が接続された場合、前記電源部に代えて当該電源装置を用いると共に、前記画像処理部に代えて当該画像処理装置を用いるように制御する
請求項１記載の放射線画像撮影装置。
【請求項３】
撮影対象者を透過した放射線により示される放射線画像が、予め定められた複数種類の動作モードから選択された動作モードで撮影可能に構成された放射線画像撮影部と、
前記放射線画像撮影部による撮影によって得られた画像情報に予め定められた画像処理を施す画像処理部と、
前記放射線画像撮影部に駆動用の電力を供給する電源部と、
前記放射線画像撮影部に駆動用の電力を供給可能に構成された電源装置および前記画像処理部と同一種類の画像処理を行う画像処理装置と通信ケーブルを介して電気的に接続するための接続部と、
前記接続部に前記電源装置および前記画像処理装置が接続されている場合、何れも接続されていない場合に比較して、より多くの動作モードを選択可能とするように制御すると共に、前記電源部に代えて当該電源装置を用い、かつ前記画像処理部に代えて当該画像処理装置を用いるように制御する制御手段と、
を備え、
前記予め定められた複数種類の動作モードは、前記放射線画像撮影部による撮影速度が互いに異なる複数の第１動作モード、および前記画像情報の転送速度が互いに異なる複数の第２動作モードの少なくとも一方の動作モードであり、
前記選択された動作モードは、前記複数の第１動作モードの何れか１つの動作モード、および前記複数の第２動作モードの何れか１つの動作モード、の少なくとも一方の動作モードである
放射線画像撮影装置。
【請求項４】
前記制御手段は、前記接続部に接続された前記電源装置および前記画像処理装置を用いるように制御する場合、前記画像処理部に対して供給される同期制御用のクロック信号の周波数および駆動用の電力の少なくとも一方を当該制御前に比較して低減させるか、または停止させるように制御する
請求項１〜請求項３の何れか１項記載の放射線画像撮影装置。
【請求項５】
前記接続部に前記電源装置および前記画像処理装置の何れも接続されていない場合に、前記画像処理部によって画像処理が施された前記画像情報を無線で外部装置に送信する送信手段
をさらに備えた請求項１〜請求項４の何れか１項記載の放射線画像撮影装置。
【請求項６】
前記電源部は、電池と、当該電池から供給される電力の電圧を当該電力の供給先で用いられる電圧に変換する変換部とを有する
請求項１〜請求項５の何れか１項記載の放射線画像撮影装置。
【請求項７】
前記画像処理装置は、前記画像処理部より高速に前記画像処理を実行する
請求項１〜請求項６の何れか１項記載の放射線画像撮影装置。
【請求項８】
前記複数種類の動作モードは、静止画撮影モードおよび動画撮影モードを含む
請求項１〜請求項７の何れか１項記載の放射線画像撮影装置。
【請求項９】
電子カセッテとして構成された
請求項１〜請求項８の何れか１項記載の放射線画像撮影装置。
【請求項１０】
撮影対象者を透過した放射線により示される放射線画像が、予め定められた複数種類の動作モードから選択された動作モードで撮影可能に構成された放射線画像撮影部、前記放射線画像撮影部による撮影によって得られた画像情報に予め定められた画像処理を施す画像処理部、前記放射線画像撮影部に駆動用の電力を供給する電源部、前記放射線画像撮影部に駆動用の電力を供給可能に構成された電源装置および前記画像処理部と同一種類の画像処理を行う画像処理装置と通信ケーブルを介して電気的に接続するための接続部、および前記動作モードとして予め定められた発熱量以上に発熱する動作モードが選択され、かつ前記接続部に前記電源装置および前記画像処理装置が接続されている場合、前記電源部に代えて当該電源装置を用いると共に、前記画像処理部に代えて当該画像処理装置を用いるように制御する制御手段を備えた放射線画像撮影装置と、
前記電源装置と、
前記画像処理装置と、
を有し、
前記予め定められた複数種類の動作モードは、前記放射線画像撮影部による撮影速度が互いに異なる複数の第１動作モード、および前記画像情報の転送速度が互いに異なる複数の第２動作モードの少なくとも一方の動作モードであり、
前記選択された動作モードは、前記複数の第１動作モードの何れか１つの動作モード、および前記複数の第２動作モードの何れか１つの動作モード、の少なくとも一方の動作モードであり、
前記予め定められた発熱量以上に発熱する動作モードは、前記第１動作モードが選択された場合における前記撮影速度が予め定められた撮影速度以上の動作モード、および前記第２動作モードが選択された場合における前記転送速度が予め定められた転送速度以上の動作モードである
放射線画像撮影システム。
【請求項１１】
撮影対象者を透過した放射線により示される放射線画像が、予め定められた複数種類の動作モードから選択された動作モードで撮影可能に構成された放射線画像撮影部、前記放射線画像撮影部による撮影によって得られた画像情報に予め定められた画像処理を施す画像処理部、前記放射線画像撮影部に駆動用の電力を供給する電源部、前記放射線画像撮影部に駆動用の電力を供給可能に構成された電源装置および前記画像処理部と同一種類の画像処理を行う画像処理装置と通信ケーブルを介して電気的に接続するための接続部、および前記接続部に前記電源装置および前記画像処理装置が接続されている場合、何れも接続されていない場合に比較して、より多くの動作モードを選択可能とするように制御すると共に、前記電源部に代えて当該電源装置を用い、かつ前記画像処理部に代えて当該画像処理装置を用いるように制御する制御手段を備えた放射線画像撮影装置と、
前記電源装置と、
前記画像処理装置と、
を有し、
前記予め定められた複数種類の動作モードは、前記放射線画像撮影部による撮影速度が互いに異なる複数の第１動作モード、および前記画像情報の転送速度が互いに異なる複数の第２動作モードの少なくとも一方の動作モードであり、
前記選択された動作モードは、前記複数の第１動作モードの何れか１つの動作モード、および前記複数の第２動作モードの何れか１つの動作モード、の少なくとも一方の動作モードである
放射線画像撮影システム。
【請求項１２】
前記放射線画像撮影装置に前記動作モードを指示する指示情報を送信する指示送信手段を備えた指示装置をさらに有し、
前記放射線画像撮影装置は、前記指示装置の前記指示送信手段から送信された前記指示情報を受信する受信手段をさらに備え、
前記制御手段は、前記受信手段によって受信された前記指示情報により指示された動作モードが前記電源装置および前記画像処理装置を用いる必要のある動作モードであり、かつ前記接続手段に前記電源装置および前記画像処理装置が接続されていない場合、警告の報知および前記放射線画像撮影部による撮影の中止の少なくとも一方を行うように制御する
請求項１０または請求項１１記載の放射線画像撮影システム。
【請求項１３】
コンピュータを、請求項１〜請求項９の何れか１項に記載の放射線画像撮影装置における制御手段として機能させるためのプログラム。
【発明の詳細な説明】
【技術分野】
【０００１】
本発明は、放射線画像撮影装置、放射線画像撮影システム、およびプログラムに係り、特に、撮影対象を透過した放射線により示される放射線画像を撮影する放射線画像撮影装置、放射線画像撮影システム、およびプログラムに関する。
【背景技術】
【０００２】
近年、ＴＦＴ（Thin Film Transistor）アクティブマトリクス基板上に放射線感応層を配置し、放射線を直接デジタルデータに変換できるＦＰＤ（Flat Panel Detector）等の放射線検出器が実用化されており、この放射線検出器を用いて照射された放射線により表わされる放射線画像を撮影する可搬型放射線画像撮影装置（以下、「電子カセッテ」ともいう。）が実用化されている。なお、上記電子カセッテに用いられる放射線検出器には、放射線を変換する方式として、放射線をシンチレータで光に変換した後にフォトダイオード等の半導体層で電荷に変換する間接変換方式や、放射線をアモルファスシリコン等の半導体層で電荷に変換する直接変換方式等があり、各方式でも半導体層に使用可能な材料が種々存在する。
【０００３】
この種の放射線画像撮影装置において動画撮影を行う場合、静止画撮影を行う場合に比較して発熱量が増大してしまう結果、冷却機能を向上させる必要性が生じ、装置が大型化してしまい、その可搬性が損なわれてしまう問題があった。
【０００４】
なお、動画撮影が静止画撮影に比較して発熱量が増大する要因としては、連続的に撮影を行うため、電圧変換を行うための電気回路や内蔵電池を含む電源部の単位時間当たりの発熱量が多かったり、発熱期間が長かったりする点や、動画撮影により得られた画像情報に対してリアルタイムで画像処理を施す電気回路の処理能力を向上させる必要があるため、静止画撮影に用いられる電気回路に比較して発熱量が多い回路（同期制御用のクロック信号の周波数が高かったり、回路規模が大きい回路）を用いる必要がある点が挙げられる。
【０００５】
従来、撮影時における発熱量が増大してしまう結果、可搬性が損なわれてしまう問題を解決するために適用できる技術として、特許文献１には、被検者を透過したＸ線をＸ線平面検出器で検出するＸ線画像撮影装置において、前記Ｘ線平面検出器を内包する筐体と、筐体内部の温度上昇を抑制する冷却ユニットとを有し、前記冷却ユニットは前記筐体外装に対して着脱可能に構成することを特徴とするＸ線画像撮影装置が開示されている。
【０００６】
また、装置の大型化や重量の増大に伴う可搬性の低下を抑制するために適用できる技術として、特許文献２には、Ｘ線に感度がある固体撮像素子を備える画像撮影装置であって、Ｘ線を受信し、受信したＸ線信号を画像信号に変換する撮像手段と、前記撮像手段を用いる撮影を含む、当該画像撮影装置の制御を行う制御手段と、前記撮像手段において取得された画像信号を出力するための通信インタフェースを少なくとも２つ以上備える通信手段とを備えたことを特徴とする画像撮影装置が開示されている。
【０００７】
また、特許文献３には、被写体に向けて照射された放射線を検出して放射線画像情報を取得する放射線画像検出器において、外部機器に対して前記放射線画像の画像データの送信を行う通信部、前記外部機器と直接的または間接的に接続され前記外部機器に前記放射線画像の画像データを送信するための接続端子、または画像データを保存する着脱可能な記憶手段のうち２以上を備え、前記放射線画像の画像データを前記通信部から送信するか、前記接続端子から送信するか、または前記記憶手段により送信するかを判断する制御部を備え、前記制御部は、前記判断の結果に基づいて前記放射線画像の画像データを前記外部機器に送信する方式を切り換えることを特徴とする放射線画像検出器が開示されている。
【０００８】
また、特許文献４には、装置本体に電池と、放射線画像をデジタル画像として撮像するデジタル撮像部と、前記デジタル画像のデータないし撮像制御信号をケーブルを介して前記装置本体外部と送受信する有線通信部と、前記デジタル画像のデータないし撮像制御信号をケーブルを介さずに前記装置本体外部と無線送受信する無線通信部と、前記装置本体への前記ケーブルの接続を検知する接続検知部と、前記接続検知部の検知結果に基づいて前記有線通信部または前記無線通信部のいずれにより前記デジタル画像データないし撮像制御信号の送受信を行うかを選択する通信選択部と、前記接続検知部の検知結果に基づいて前記電池を前記装置本体の電源として使用するか否かを選択する電源選択部とを備えた放射線撮像装置が開示されている。
【０００９】
また、特許文献５には、Ｘ線画像を受光する２次元アレーセンサと、Ｘ線発生装置から発信される制御信号に応じて該センサを駆動するドライブ手段と、該ドライブ手段により該センサ内マトリクスを選択し各マトリクスのデータを増幅するアンプ手段と、該アンプ手段からの出力をデジタルに変換するＡＤ手段と、該ＡＤ手段と該ドライブ手段で順次デジタル化された画像データをシリアライズする手段と、シリアライズした画像データを伝送する伝送手段から構成されるＸ線画像撮影部と伝送手段により転送された画像データをデシリアライズする手段と、該デシリアライズされた画像データをフレームメモリ内に配置する手段から構成される制御用ＰＣとからなるＸ線画像撮影装置において、該Ｘ線画像撮影部と該制御用ＰＣ間の信号を伝送する該伝送手段は、該シリアライズされた画像データを電気／光変換した光信号を伝送する光ファイバケーブルと、Ｘ線発生装置や制御用ＰＣから発信される、あるいは該ドライブ手段が応答発信する制御信号を伝送するメタルケーブルからなる伝送手段であることを特徴とするＸ線画像撮影装置が開示されている。
【００１０】
また、特許文献６には、Ｘ線発生手段により発せられたＸ線を被写体に照射し、前記被写体を透過したＸ線分布をセンサで検出するＸ線画像撮影装置において、二次元に複数の検出素子を配置された検出面を有するＸ線検出手段と、前記Ｘ線検出手段に対してＸ線を照射するＸ線照射手段と、前記Ｘ線検出手段を支持する第１の支持機構と、前記Ｘ線照射手段を支持する第２の支持機構を有し、前記第１の支持機構に対し、前記Ｘ線検出手段は着脱可能で、前記Ｘ線検出手段は前記第１の支持機構より切り離した状態で撮影可能な制御手段を有し、前記第２の支持機構は、前記Ｘ線検出手段が前記第１の支持機構に固定された状態には前記Ｘ線照射手段を前記Ｘ線検出手段に対向する第１の方向に固定し、前記Ｘ線検出手段が前記第１の支持機構より切り離された状態では、前記Ｘ線照射手段を第１の方向以外にも照射することが可能な移動機構を有することを特徴とするＸ線画像撮影装置が開示されている。
【００１１】
さらに、特許文献７には、入射された放射線を検出する複数のセンサを含むセンサアレイを有する電子カセッテ型放射線検出装置であって、前記電子カセッテ型放射線検出装置は、着脱可能な付加機能モジュールとの接続部を有し、前記付加機能モジュールが接続されることによって、撮影モードが静止画撮影および動画撮影から選択可能な状態に切り替わる選択手段を有することを特徴とする電子カセッテ型放射線検出装置が開示されている。
【先行技術文献】
【特許文献】
【００１２】
【特許文献１】特開２００５−１８１９２２号公報
【特許文献２】特開２００７−４４０６８号公報
【特許文献３】特開２００７−１２７４１４号公報
【特許文献４】特開２００５−６９７９号公報
【特許文献５】特開２００２−１９９３８８号公報
【特許文献６】特開２００５−４７０号公報
【特許文献７】特開２００８−８３０３１号公報
【発明の概要】
【発明が解決しようとする課題】
【００１３】
しかしながら、上記特許文献１に開示されている技術では、冷却ユニットを予め用意する必要があり、価格が上昇してしまう、という問題点や、放射線画像撮影装置を、冷却ユニットを着脱可能に構成する必要があり、装置構成が複雑化してしまう、という問題点があった。
【００１４】
また、上記特許文献２〜特許文献７に開示されている技術では、撮影装置における発熱量を抑制することに関しては特に言及されておらず、これらの技術においては、発熱量を抑制することができない、という問題点があった。
【００１５】
本発明は上記問題点を解決するためになされたものであり、価格の上昇、装置の複雑化および大型化を招くことなく、発熱量を抑制することのできる放射線画像撮影装置、放射線画像撮影システム、およびプログラムを提供することを目的とする。
【課題を解決するための手段】
【００１６】
上記目的を達成するために、請求項１に記載の放射線画像撮影装置は、撮影対象者を透過した放射線により示される放射線画像が、予め定められた複数種類の動作モードから選択された動作モードで撮影可能に構成された放射線画像撮影部と、前記放射線画像撮影部による撮影によって得られた画像情報に予め定められた画像処理を施す画像処理部と、前記放射線画像撮影部に駆動用の電力を供給する電源部と、前記放射線画像撮影部に駆動用の電力を供給可能に構成された電源装置および前記画像処理部と同一種類の画像処理を行う画像処理装置と通信ケーブルを介して電気的に接続するための接続部と、前記動作モードとして予め定められた発熱量以上に発熱する動作モードが選択され、かつ前記接続部に前記電源装置および前記画像処理装置が接続されている場合、前記電源部に代えて当該電源装置を用いると共に、前記画像処理部に代えて当該画像処理装置を用いるように制御する制御手段と、を備え、前記予め定められた複数種類の動作モードは、前記放射線画像撮影部による撮影速度が互いに異なる複数の第１動作モード、および前記画像情報の転送速度が互いに異なる複数の第２動作モードの少なくとも一方の動作モードであり、前記選択された動作モードは、前記複数の第１動作モードの何れか１つの動作モード、および前記複数の第２動作モードの何れか１つの動作モード、の少なくとも一方の動作モードであり、前記予め定められた発熱量以上に発熱する動作モードは、前記第１動作モードが選択された場合における前記撮影速度が予め定められた撮影速度以上の動作モード、および前記第２動作モードが選択された場合における前記転送速度が予め定められた転送速度以上の動作モードであるものである。
【００１７】
請求項１に記載の放射線画像撮影装置によれば、画像処理部により、撮影対象者を透過した放射線により示される放射線画像が、予め定められた複数種類の動作モードから選択された動作モードで撮影可能に構成された放射線画像撮影部による撮影によって得られた画像情報に予め定められた画像処理が施される一方、電源部により、前記放射線画像撮影部に駆動用の電力が供給される。
【００１８】
ここで、本発明では、前記放射線画像撮影部に駆動用の電力を供給可能に構成された電源装置および前記画像処理部と同一種類の画像処理を行う画像処理装置と通信ケーブルを介して電気的に接続するための接続部が備えられており、制御手段により、前記動作モードとして予め定められた発熱量以上に発熱する動作モードが選択され、かつ前記接続部に前記電源装置および前記画像処理装置が接続されている場合は前記電源部に代えて当該電源装置を用いると共に、前記画像処理部に代えて当該画像処理装置を用いるように制御される。
【００１９】
すなわち、本発明では、動作モードとして予め定められた発熱量以上に発熱する動作モードが選択され、かつ接続部に外部に設けられた電源装置および画像処理装置が接続されている場合は内蔵されている電源部に代えて当該電源装置を用いると共に、内蔵されている画像処理部に代えて当該画像処理装置を用いるように制御しており、これによって、装置の大型化を招くことなく、発熱量を抑制することができるようにする一方、放射線画像撮影装置に着脱可能な冷却ユニットを用意しておく技術に比較して、価格の上昇、および装置の複雑化を抑制するようにしている。
【００２０】
このように、請求項１に記載の放射線画像撮影装置によれば、動作モードとして予め定められた発熱量以上に発熱する動作モードが選択され、かつ接続部に電源装置および画像処理装置が接続されている場合は電源部に代えて当該電源装置を用いると共に、画像処理部に代えて当該画像処理装置を用いるように制御しているので、価格の上昇、装置の複雑化および大型化を招くことなく、発熱量を抑制することができる。
【００２１】
なお、請求項１に記載の発明は、前記予め定められた発熱量以上に発熱する動作モードが、前記放射線画像撮影部による撮影速度が予め定められた撮影速度以上の動作モード、および前記画像情報の転送速度が予め定められた転送速度以上の動作モードの少なくとも一方であるものとしている。これにより、適用した動作モードでの撮影時における発熱量を抑制することができる。
【００２２】
また、請求項１に記載の発明は、請求項２に記載の発明のように、前記制御手段が、前記接続部に前記電源装置および前記画像処理装置が接続された場合、前記電源部に代えて当該電源装置を用いると共に、前記画像処理部に代えて当該画像処理装置を用いるように制御するようにしてもよい。これにより、より簡易に発熱量を抑制することができる。
【００２３】
一方、上記目的を達成するために、請求項３に記載の放射線画像撮影装置は、撮影対象者を透過した放射線により示される放射線画像が、予め定められた複数種類の動作モードから選択された動作モードで撮影可能に構成された放射線画像撮影部と、前記放射線画像撮影部による撮影によって得られた画像情報に予め定められた画像処理を施す画像処理部と、前記放射線画像撮影部に駆動用の電力を供給する電源部と、前記放射線画像撮影部に駆動用の電力を供給可能に構成された電源装置および前記画像処理部と同一種類の画像処理を行う画像処理装置と通信ケーブルを介して電気的に接続するための接続部と、前記接続部に前記電源装置および前記画像処理装置が接続されている場合、何れも接続されていない場合に比較して、より多くの動作モードを選択可能とするように制御すると共に、前記電源部に代えて当該電源装置を用い、かつ前記画像処理部に代えて当該画像処理装置を用いるように制御する制御手段と、を備え、前記予め定められた複数種類の動作モードは、前記放射線画像撮影部による撮影速度が互いに異なる複数の第１動作モード、および前記画像情報の転送速度が互いに異なる複数の第２動作モードの少なくとも一方の動作モードであり、前記選択された動作モードは、前記複数の第１動作モードの何れか１つの動作モード、および前記複数の第２動作モードの何れか１つの動作モード、の少なくとも一方の動作モードであるものである。
【００２４】
請求項３に記載の放射線画像撮影装置によれば、画像処理部により、撮影対象者を透過した放射線により示される放射線画像が、予め定められた複数種類の動作モードから選択された動作モードで撮影可能に構成された放射線画像撮影部による撮影によって得られた画像情報に予め定められた画像処理が施される一方、電源部により、前記放射線画像撮影部に駆動用の電力が供給される。
【００２５】
ここで、本発明では、前記放射線画像撮影部に駆動用の電力を供給可能に構成された電源装置および前記画像処理部と同一種類の画像処理を行う画像処理装置と通信ケーブルを介して電気的に接続するための接続部が備えられており、制御手段により、前記接続部に前記電源装置および前記画像処理装置が接続されている場合、何れも接続されていない場合に比較して、より多くの動作モードを選択可能とするように制御すると共に、前記電源部に代えて当該電源装置を用い、かつ前記画像処理部に代えて当該画像処理装置を用いるように制御される。
【００２６】
すなわち、本発明では、接続部に、外部に設けられた電源装置および画像処理装置が接続されている場合、何れも接続されていない場合に比較して、より多くの動作モードを選択可能とするように制御すると共に、内蔵された電源部に代えて当該電源装置を用い、かつ内蔵された画像処理部に代えて当該画像処理装置を用いるように制御しており、これによって、装置の大型化を招くことなく、発熱量を抑制することができるようにする一方、放射線画像撮影装置に着脱可能な冷却ユニットを用意しておく技術に比較して、価格の上昇、および装置の複雑化を抑制するようにしている。
【００２７】
このように、請求項３に記載の放射線画像撮影装置によれば、接続部に電源装置および画像処理装置が接続されている場合、何れも接続されていない場合に比較して、より多くの動作モードを選択可能とするように制御すると共に、電源部に代えて当該電源装置を用い、かつ画像処理部に代えて当該画像処理装置を用いるように制御しているので、価格の上昇、装置の複雑化および大型化を招くことなく、発熱量を抑制することができる。
【００２８】
なお、請求項１〜請求項３の何れか１項に記載の発明は、請求項４に記載の発明のように、前記制御手段が、前記接続部に接続された前記電源装置および前記画像処理装置を用いるように制御する場合、前記画像処理部に対して供給される同期制御用のクロック信号の周波数および駆動用の電力の少なくとも一方を当該制御前に比較して低減させるか、または停止させるように制御するものとしてもよい。これにより、より確実に発熱量を抑制することができる。
【００２９】
また、請求項１〜請求項４の何れか１項に記載の発明は、請求項５に記載の発明のように、前記接続部に前記電源装置および前記画像処理装置の何れも接続されていない場合に、前記画像処理部によって画像処理が施された前記画像情報を無線で外部装置に送信する送信手段をさらに備えてもよい。これにより、可搬性を、より向上させることができる。
【００３０】
また、請求項１〜請求項５の何れか１項に記載の発明は、請求項６に記載の発明のように、前記電源部が、電池と、当該電池から供給される電力の電圧を当該電力の供給先で用いられる電圧に変換する変換部とを有してもよい。これにより、複数の電力供給先に対応することができる。
【００３１】
また、請求項１〜請求項６の何れか１項に記載の発明は、請求項７に記載の発明のように、前記画像処理装置が、前記画像処理部より高速に前記画像処理を実行するものとしてもよい。これにより、画像処理装置が接続された場合には、接続されない場合に比較して、より高速な画像処理を実現することができる。
【００３２】
また、請求項１〜請求項７の何れか１項に記載の発明は、請求項８に記載の発明のように、前記複数種類の動作モードが、静止画撮影モードおよび動画撮影モードを含むものとしてもよい。これにより、静止画撮影モードおよび動画撮影モードを含む動作モードから適用した動作モードでの撮影時における発熱量を抑制することができる。
【００３３】
さらに、請求項１〜請求項８の何れか１項に記載の発明は、請求項９に記載の発明のように、電子カセッテとして構成してもよい。これにより、電子カセッテについて、価格の上昇、装置の複雑化および大型化を招くことなく、発熱量を抑制することができる。
【００３４】
一方、上記目的を達成するために、請求項１０に記載の放射線画像撮影システムは、撮影対象者を透過した放射線により示される放射線画像が、予め定められた複数種類の動作モードから選択された動作モードで撮影可能に構成された放射線画像撮影部、前記放射線画像撮影部による撮影によって得られた画像情報に予め定められた画像処理を施す画像処理部、前記放射線画像撮影部に駆動用の電力を供給する電源部、前記放射線画像撮影部に駆動用の電力を供給可能に構成された電源装置および前記画像処理部と同一種類の画像処理を行う画像処理装置と通信ケーブルを介して電気的に接続するための接続部、および前記動作モードとして予め定められた発熱量以上に発熱する動作モードが選択され、かつ前記接続部に前記電源装置および前記画像処理装置が接続されている場合、前記電源部に代えて当該電源装置を用いると共に、前記画像処理部に代えて当該画像処理装置を用いるように制御する制御手段を備えた放射線画像撮影装置と、前記電源装置と、前記画像処理装置と、を有し、前記予め定められた複数種類の動作モードは、前記放射線画像撮影部による撮影速度が互いに異なる複数の第１動作モード、および前記画像情報の転送速度が互いに異なる複数の第２動作モードの少なくとも一方の動作モードであり、前記選択された動作モードは、前記複数の第１動作モードの何れか１つの動作モード、および前記複数の第２動作モードの何れか１つの動作モード、の少なくとも一方の動作モードであり、前記予め定められた発熱量以上に発熱する動作モードは、前記第１動作モードが選択された場合における前記撮影速度が予め定められた撮影速度以上の動作モード、および前記第２動作モードが選択された場合における前記転送速度が予め定められた転送速度以上の動作モードであるものである。
【００３５】
請求項１０に記載の放射線画像撮影システムによれば、放射線画像撮影装置において、電源部により、撮影対象者を透過した放射線により示される放射線画像が、予め定められた複数種類の動作モードから選択された動作モードで撮影可能に構成された放射線画像撮影部に駆動用の電力が供給される。
また、本発明では、放射線画像撮影装置において、画像処理部により、前記放射線画像撮影部による撮影によって得られた画像情報に予め定められた画像処理が施される。
【００３６】
ここで、本発明では、前記放射線画像撮影部に駆動用の電力を供給可能に構成された電源装置および前記画像処理部と同一種類の画像処理を行う画像処理装置と通信ケーブルを介して電気的に接続するための接続部が備えられており、制御手段により、前記動作モードとして予め定められた発熱量以上に発熱する動作モードが選択され、かつ前記接続部に前記電源装置および前記画像処理装置が接続されている場合は前記電源部に代えて当該電源装置を用いると共に、前記画像処理部に代えて当該画像処理装置を用いるように制御される。
【００３７】
すなわち、本発明では、動作モードとして予め定められた発熱量以上に発熱する動作モードが選択され、かつ接続部に外部に設けられた電源装置および画像処理装置が接続されている場合は内蔵されている電源部に代えて当該電源装置を用いると共に、内蔵されている画像処理部に代えて当該画像処理装置を用いるように制御しており、これによって、装置の大型化を招くことなく、発熱量を抑制することができるようにする一方、放射線画像撮影装置に着脱可能な冷却ユニットを用意しておく技術に比較して、価格の上昇、および装置の複雑化を抑制するようにしている。
【００３８】
このように、請求項１０に記載の放射線画像撮影システムによれば、動作モードとして予め定められた発熱量以上に発熱する動作モードが選択され、かつ接続部に電源装置および画像処理装置が接続されている場合は電源部に代えて当該電源装置を用いると共に、画像処理部に代えて当該画像処理装置を用いるように制御しているので、価格の上昇、装置の複雑化および大型化を招くことなく、発熱量を抑制することができる。
【００３９】
また、上記目的を達成するために、請求項１１に記載の放射線画像撮影システムは、撮影対象者を透過した放射線により示される放射線画像が、予め定められた複数種類の動作モードから選択された動作モードで撮影可能に構成された放射線画像撮影部、前記放射線画像撮影部による撮影によって得られた画像情報に予め定められた画像処理を施す画像処理部、前記放射線画像撮影部に駆動用の電力を供給する電源部、前記放射線画像撮影部に駆動用の電力を供給可能に構成された電源装置および前記画像処理部と同一種類の画像処理を行う画像処理装置と通信ケーブルを介して電気的に接続するための接続部、および前記接続部に前記電源装置および前記画像処理装置が接続されている場合、何れも接続されていない場合に比較して、より多くの動作モードを選択可能とするように制御すると共に、前記電源部に代えて当該電源装置を用い、かつ前記画像処理部に代えて当該画像処理装置を用いるように制御する制御手段を備えた放射線画像撮影装置と、前記電源装置と、前記画像処理装置と、を有し、前記予め定められた複数種類の動作モードは、前記放射線画像撮影部による撮影速度が互いに異なる複数の第１動作モード、および前記画像情報の転送速度が互いに異なる複数の第２動作モードの少なくとも一方の動作モードであり、前記選択された動作モードは、前記複数の第１動作モードの何れか１つの動作モード、および前記複数の第２動作モードの何れか１つの動作モード、の少なくとも一方の動作モードであるものである。
【００４０】
請求項１１に記載の放射線画像撮影システムによれば、放射線画像撮影装置において、電源部により、撮影対象者を透過した放射線により示される放射線画像が、予め定められた複数種類の動作モードから選択された動作モードで撮影可能に構成された放射線画像撮影部に駆動用の電力が供給される。
また、本発明では、放射線画像撮影装置において、画像処理部により、前記放射線画像撮影部による撮影によって得られた画像情報に予め定められた画像処理が施される。
【００４１】
ここで、本発明では、前記放射線画像撮影部に駆動用の電力を供給可能に構成された電源装置および前記画像処理部と同一種類の画像処理を行う画像処理装置と通信ケーブルを介して電気的に接続するための接続部が備えられており、制御手段により、前記接続部に前記電源装置および前記画像処理装置が接続されている場合、何れも接続されていない場合に比較して、より多くの動作モードを選択可能とするように制御されると共に、前記電源部に代えて当該電源装置を用い、かつ前記画像処理部に代えて当該画像処理装置を用いるように制御される。
【００４２】
すなわち、本発明では、接続部に、外部に設けられた電源装置および画像処理装置が接続されている場合、何れも接続されていない場合に比較して、より多くの動作モードを選択可能とするように制御すると共に、内蔵された電源部に代えて当該電源装置を用い、かつ内蔵された画像処理部に代えて当該画像処理装置を用いるように制御しており、これによって、装置の大型化を招くことなく、発熱量を抑制することができるようにする一方、放射線画像撮影装置に着脱可能な冷却ユニットを用意しておく技術に比較して、価格の上昇、および装置の複雑化を抑制するようにしている。
【００４３】
このように、請求項１１に記載の放射線画像撮影システムによれば、接続部に電源装置および画像処理装置が接続されている場合、何れも接続されていない場合に比較して、より多くの動作モードを選択可能とするように制御すると共に、電源部に代えて当該電源装置を用い、かつ画像処理部に代えて当該画像処理装置を用いるように制御しているので、価格の上昇、装置の複雑化および大型化を招くことなく、発熱量を抑制することができる。
【００４４】
なお、請求項１０または請求項１１に記載の発明は、請求項１２に記載の発明のように、前記放射線画像撮影装置に前記動作モードを指示する指示情報を送信する指示送信手段を備えた指示装置をさらに有し、前記放射線画像撮影装置は、前記指示装置の前記指示送信手段から送信された前記指示情報を受信する受信手段をさらに備え、前記制御手段が、前記受信手段によって受信された前記指示情報により指示された動作モードが前記電源装置および前記画像処理装置を用いる必要のある動作モードであり、かつ前記接続手段に前記電源装置および前記画像処理装置が接続されていない場合、警告の報知および前記放射線画像撮影部による撮影の中止の少なくとも一方を行うように制御してもよい。これにより、より利便性を向上させることができる。
【００５６】
一方、上記目的を達成するために、請求項１３に記載のプログラムは、コンピュータを、請求項１〜請求項９の何れか１項に記載の放射線画像撮影装置における制御手段として機能させるためのものである。
【００５７】
従って、本発明によれば、コンピュータを請求項１〜請求項９の何れか１項に記載の発明と同様に作用させることができるので、これらの発明と同様に、価格の上昇、装置の複雑化および大型化を招くことなく、発熱量を抑制することができる。
【発明の効果】
【００５８】
本発明の放射線画像撮影装置、放射線画像撮影システム、およびプログラムによれば、価格の上昇、装置の複雑化および大型化を招くことなく、発熱量を抑制することができる、という効果が得られる。
【図面の簡単な説明】
【００５９】
【図１】実施の形態に係る放射線情報システムの構成を示すブロック図である。
【図２】実施の形態に係る放射線画像撮影システムの放射線撮影室における配置状態の一例を示す側面図である。
【図３】実施の形態に係る電子カセッテの内部構成を示す透過斜視図である。
【図４】実施の形態に係る放射線画像撮影システムの電気系の要部構成を示すブロック図である。
【図５】実施の形態に係る撮影オーダ情報の構成を示す模式図である。
【図６】実施の形態に係る動作モード送信処理プログラムの処理の流れを示すフローチャートである。
【図７】第１の実施の形態に係る動作モード設定処理プログラムの処理の流れを示すフローチャートである。
【図８】第１の実施の形態に係る放射線画像撮影処理プログラムの処理の流れを示すフローチャートである。
【図９】実施の形態に係る放射線画像撮影処理プログラムの実行により表示される情報の一例を示す概略図である。
【図１０】実施の形態に係る放射線画像撮影処理プログラムの実行により表示される情報の一例を示す概略図である。
【図１１】第２の実施の形態に係る動作モード設定処理プログラムの処理の流れを示すフローチャートである。
【図１２】第２の実施の形態に係る放射線画像撮影処理プログラムの処理の流れを示すフローチャートである。
【図１３】第２の実施の形態に係る放射線画像撮影処理プログラムの実行により表示される情報の一例を示す概略図である。
【図１４】実施の形態に係る放射線画像撮影システムの変形例の電気系の要部構成を示すブロック図である。
【図１５】実施の形態の変形例の説明に供する図であり、動作切換情報の一例を示す模式図である。
【発明を実施するための形態】
【００６０】
以下、図面を参照して、本発明の実施の形態について詳細に説明する。なお、ここでは、本発明を、病院における放射線科部門で取り扱われる情報を統括的に管理するシステムである放射線情報システムに適用した場合の形態例について説明する。
【００６１】
［第１の実施の形態］
まず、図１を参照して、本実施の形態に係る放射線情報システム（以下、「ＲＩＳ（Radiology Information System）」と称する。）１０の構成について説明する。
【００６２】
ＲＩＳ１０は、放射線科部門内における、診療予約、診断記録等の情報管理を行うためのシステムであり、病院情報システム（以下、「ＨＩＳ（Hospital Information System）」と称する。）の一部を構成する。
【００６３】
ＲＩＳ１０は、複数台の撮影依頼端末装置（以下、「端末装置」と称する。）１２、ＲＩＳサーバ１４、および病院内の放射線撮影室（あるいは手術室）の個々に設置された放射線画像撮影システム（以下、「撮影システム」と称する。）１８を有しており、これらが有線や無線のＬＡＮ（Local Area Network）等から成る病院内ネットワーク１６に各々接続されて構成されている。なお、ＲＩＳ１０は、同じ病院内に設けられたＨＩＳの一部を構成しており、病院内ネットワーク１６には、ＨＩＳ全体を管理するＨＩＳサーバ（図示省略。）も接続されている。
【００６４】
端末装置１２は、医師や放射線技師が、診断情報や施設予約の入力、閲覧等を行うためのものであり、放射線画像の撮影依頼や撮影予約もこの端末装置１２を介して行われる。各端末装置１２は、表示装置を有するパーソナル・コンピュータを含んで構成され、ＲＩＳサーバ１４と病院内ネットワーク１６を介して相互通信が可能とされている。
【００６５】
一方、ＲＩＳサーバ１４は、各端末装置１２からの撮影依頼を受け付け、撮影システム１８における放射線画像の撮影スケジュールを管理するものであり、データベース１４Ａを含んで構成されている。
【００６６】
データベース１４Ａは、患者の属性情報（氏名、ＩＤ（Identification）、性別、生年月日、年齢、血液型、体重等）、病歴、受診歴、過去に撮影した放射線画像等の患者に関する情報（以下、「患者情報」と称する。）、撮影システム１８で用いられる、後述する電子カセッテ３２の識別番号、型式、サイズ、感度、使用可能な撮影部位（対応可能な撮影依頼の内容）、使用開始年月日、使用回数等の電子カセッテ３２に関する情報、および電子カセッテ３２を用いて放射線画像を撮影する環境、すなわち、電子カセッテ３２を使用する環境（一例として、放射線撮影室や手術室等）を示す環境情報を含んで構成されている。
【００６７】
ここで、データベース１４Ａは、患者の体における放射線画像の撮影対象とする部位（以下、「撮影部位」と称する。）、撮影枚数、撮影時における患者の姿勢（本実施の形態では、臥位または立位）、放射線画像の撮影時における電子カセッテ３２の動作モード、および患者に対する放射線の照射方向等の放射線撮影を行う際の条件を示す情報である撮影メニューが含まれている。なお、本実施の形態に係る撮影システム１８では、上記電子カセッテ３２の動作モードとして、静止画像の撮影を行う際の動作モードである静止画撮影モードと、動画像の撮影を行う際の動作モードである動画撮影モードの２種類のモードが用意されている。本実施の形態に係る電子カセッテ３２では、動画撮影モードによる撮影速度として３０（フレーム／秒）を適用しているが、これに限らず、６０（フレーム／秒）等の他の撮影速度を適用する形態としてもよいことは言うまでもない。
【００６８】
撮影システム１８は、ＲＩＳサーバ１４からの指示に応じて医師や放射線技師の操作により放射線画像の撮影を行う。撮影システム１８は、放射線源１３０（図２も参照。）から曝射条件に従った線量とされた放射線Ｘ（図３も参照。）を患者に照射する放射線発生装置３４と、患者の撮影部位を透過した放射線Ｘを吸収して電荷を発生し、発生した電荷量に基づいて放射線画像を示す画像情報を生成する放射線検出器６０（図３も参照。）を内蔵する電子カセッテ３２と、動画像の撮影時に電子カセッテ３２に接続される外部装置３６と、電子カセッテ３２に内蔵されているバッテリを充電するクレードル４０と、電子カセッテ３２，放射線発生装置３４，およびクレードル４０を制御するコンソール４２と、を備えている。
【００６９】
コンソール４２は、ＲＩＳサーバ１４からデータベース１４Ａに含まれる各種情報を取得して後述するＨＤＤ１１０（図４参照。）に記憶し、当該情報に基づいて、電子カセッテ３２，放射線発生装置３４，およびクレードル４０の制御を行う。
【００７０】
図２には、本実施の形態に係る撮影システム１８の放射線撮影室４４における配置状態の一例が示されている。
【００７１】
同図に示すように、放射線撮影室４４には、立位での放射線撮影を行う際に電子カセッテ３２を保持するためのラック４５と、臥位での放射線撮影を行う際に患者が横臥するためのベッド４６とが設置されており、ラック４５の前方空間は立位での放射線撮影を行う際の患者の撮影位置４８とされ、ベッド４６の上方空間は臥位での放射線撮影を行う際の患者の撮影位置５０とされている。
【００７２】
また、放射線撮影室４４には、単一の放射線源１３０からの放射線によって立位での放射線撮影も臥位での放射線撮影も可能とするために、放射線源１３０を、水平な軸回り（図２の矢印Ａ方向）に回動可能で、鉛直方向（図２の矢印Ｂ方向）に移動可能で、さらに水平方向（図２の矢印Ｃ方向）に移動可能に支持する支持移動機構５２が設けられている。ここで、支持移動機構５２は、放射線源１３０を水平な軸回りに回動させる駆動源と、放射線源１３０を鉛直方向に移動させる駆動源と、放射線源１３０を水平方向に移動させる駆動源を各々備えている（何れも図示省略。）。
【００７３】
一方、クレードル４０には、電子カセッテ３２を収納可能な収容部４０Ａが形成されている。
【００７４】
電子カセッテ３２は、未使用時にはクレードル４０の収容部４０Ａに収納された状態で内蔵されるバッテリに充電が行われ、放射線画像の撮影時には放射線技師によってクレードル４０から取り出され、撮影姿勢が立位であればラック４５に保持される予め定められた位置４９等に位置決めされ、撮影姿勢が臥位であればベッド４６上の撮影対象部位の下部に位置される予め定められた位置５１等に位置決めされる。
【００７５】
なお、図２では図示を省略するが、放射線撮影室４４には、これらの装置の他に外部装置３６およびコンソール４２が設置されている。また、電子カセッテ３２は、放射線撮影室や手術室のみで使用されるものではなく、その可搬性から、例えば、検診や病院内での回診等にも使用することができる。
【００７６】
図３には、本実施の形態に係る電子カセッテ３２の内部構成が示されている。
【００７７】
同図に示すように、電子カセッテ３２は、放射線Ｘを透過させる材料からなる筐体５４を備えており、防水性、密閉性を有する構造とされている。電子カセッテ３２は、手術室等で使用されるとき、血液やその他の雑菌が付着するおそれがある。そこで、電子カセッテ３２を防水性、密閉性を有する構造として、必要に応じて殺菌洗浄することにより、１つの電子カセッテ３２を繰り返し続けて使用することができる。
【００７８】
筐体５４の内部には、放射線Ｘが照射される筐体５４の照射面５６側から、患者による放射線Ｘの散乱線を除去するグリッド５８、患者を透過した放射線Ｘを検出する放射線検出器６０、および放射線Ｘのバック散乱線を吸収する鉛板６２が順に配設されている。なお、筐体５４の照射面５６をグリッド５８として構成してもよい。
【００７９】
また、筐体５４の内部の一端側には、マイクロコンピュータを含む電子回路、および充電可能で、かつ着脱可能なバッテリ９６Ａを収容するケース３１が配置されている。放射線検出器６０及び電子回路は、ケース３１に配置されたバッテリ９６Ａから供給される電力によって作動する。ケース３１内部に収容された各種回路が放射線Ｘの照射に伴って損傷することを回避するため、ケース３１の照射面５６側には鉛板等を配設しておくことが望ましい。なお、本実施の形態に係る電子カセッテ３２は、照射面５６の形状が長方形とされた直方体とされており、その長手方向一端部にケース３１が配置されている。
【００８０】
また、筐体５４の外壁の所定位置には、不図示の電源スイッチのオン・オフの状態（投入状態）、‘レディ状態’，‘データ送信中’といった動作モード、バッテリ９６Ａの残容量の状態等の電子カセッテ３２の動作状態を示す表示を行う表示部５６Ａが設けられている。なお、本実施の形態に係る電子カセッテ３２では、表示部５６Ａとして、発光ダイオードを適用しているが、これに限らず、発光ダイオード以外の発光素子や、液晶ディスプレイ、有機ＥＬディスプレイ等の他の表示手段としてもよい。
【００８１】
さらに、筐体５４の外壁の所定位置には、電子カセッテ３２を移動させる際に把持される把手５４Ａが設けられている。なお、本実施の形態に係る電子カセッテ３２では、把手５４Ａが筐体５４における照射面５６の長手方向に延設された側壁の中央部に設けられているが、これに限らず、例えば、照射面５６の短手方向に延設された側壁の中央部、これら側壁の中央部より電子カセッテ３２の重心位置の偏りを考慮した距離だけ偏倚した位置等、他の位置に設けてもよいことは言うまでもない。
【００８２】
次に、図４を参照して、本実施の形態に係る撮影システム１８の電気系の要部構成について説明する。
【００８３】
同図に示すように、本実施の形態に係る電子カセッテ３２には放射線検出器６０が内蔵されており、この放射線検出器６０は、ＴＦＴアクティブマトリクス基板６６上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）からなり、放射線Ｘが照射されると、照射された放射線量に応じた電荷量の電荷（電子−正孔の対）を内部で発生することで、照射された放射線Ｘを電荷へ変換する。なお、放射線検出器６０は、アモルファスセレンのような放射線Ｘを直接的に電荷に変換する放射線-電荷変換材料の代わりに、蛍光体材料と光電変換素子（フォトダイオード）を用いて間接的に電荷に変換してもよい。蛍光体材料としては、ガドリニウム硫酸化物（ＧＯＳ）やヨウ化セシウム（ＣｓＩ）が良く知られている。この場合、蛍光体材料によって放射線Ｘ−光変換を行い、光電変換素子のフォトダイオードによって光−電荷変換を行う。
【００８４】
また、ＴＦＴアクティブマトリクス基板６６上には、光電変換層で発生された電荷を蓄積する蓄積容量６８と、蓄積容量６８に蓄積された電荷を読み出すためのＴＦＴ７０を備えた画素部７４（図４では個々の画素部７４に対応する光電変換層を光電変換部７２として模式的に示している。）がマトリクス状に多数個配置されており、電子カセッテ３２への放射線Ｘの照射に伴って光電変換層で発生された電荷は、個々の画素部７４の蓄積容量６８に蓄積される。これにより、電子カセッテ３２に照射された放射線Ｘに担持されていた画像情報は電荷情報へ変換されて放射線検出器６０に保持される。
【００８５】
また、ＴＦＴアクティブマトリクス基板６６には、一定方向（行方向）に延設され、個々の画素部７４のＴＦＴ７０をオン／オフさせるための複数本のゲート配線７６と、ゲート配線７６と直交する方向（列方向）に延設され、オンされたＴＦＴ７０を介して蓄積容量６８から蓄積電荷を読み出すための複数本のデータ配線７８が設けられている。個々のゲート配線７６はゲート線ドライバ８０に接続されており、個々のデータ配線７８は信号処理部８２に接続されている。個々の画素部７４の蓄積容量６８に電荷が蓄積されると、個々の画素部７４のＴＦＴ７０は、ゲート線ドライバ８０からゲート配線７６を介して供給される信号により行単位で順にオンされ、ＴＦＴ７０がオンされた画素部７４の蓄積容量６８に蓄積されている電荷は、アナログの電気信号としてデータ配線７８を伝送されて信号処理部８２に入力される。従って、個々の画素部７４の蓄積容量６８に蓄積されている電荷は行単位で順に読み出される。
【００８６】
図示は省略するが、信号処理部８２は、個々のデータ配線７８毎に設けられた増幅器及びサンプルホールド回路を備えており、個々のデータ配線７８を伝送された電荷信号は増幅器で増幅された後にサンプルホールド回路に保持される。また、サンプルホールド回路の出力側にはマルチプレクサ、Ａ／Ｄ（アナログ／デジタル）変換器が順に接続されており、個々のサンプルホールド回路に保持された電荷信号はマルチプレクサに順に（シリアルに）入力され、Ａ／Ｄ変換器によってデジタルの画像データ（以下、「デジタル画像データ」と称する。）へ変換される。
【００８７】
一方、本実施の形態に係る電子カセッテ３２には、電子カセッテ３２全体の動作を制御するカセッテ制御部９２が設けられている。カセッテ制御部９２はマイクロコンピュータによって構成されており、ＣＰＵ（中央処理装置）９２Ａ、ＲＯＭ（Read Only Memory）およびＲＡＭ（Random Access Memory）を含むメモリ９２Ｂ、ＨＤＤ（ハードディスク・ドライブ）やフラッシュメモリ等からなる不揮発性の記憶部９２Ｃを備えている。
【００８８】
カセッテ制御部９２には、ゲート線ドライバ８０および信号処理部８２が接続されており、カセッテ制御部９２は、これら各部の作動を制御する。また、カセッテ制御部９２には、画像処理系ブロック２０、無線通信系ブロック２２、および有線通信系ブロック２４が接続されており、カセッテ制御部９２は、これら各ブロックを構成する各部の作動を制御する。
【００８９】
ここで、画像処理系ブロック２０には、バッファメモリ２０Ａ、補正処理部２０Ｂ、補正データメモリ２０Ｃ、および画像処理部２０Ｄが備えられている。
【００９０】
バッファメモリ２０Ａの入力端は信号処理部８２におけるＡ／Ｄ変換器の出力端に接続されており、当該Ａ／Ｄ変換器から出力されたデジタル画像データはバッファメモリ２０Ａに順に記憶される。バッファメモリ２０Ａは複数フレーム分のデジタル画像データを記憶可能な記憶容量を有しており、放射線画像の撮影が行われる毎に、撮影によって得られたデジタル画像データがバッファメモリ２０Ａに順次記憶される。
【００９１】
バッファメモリ２０Ａの出力端は２入力とされた補正処理部２０Ｂの一方の入力端に接続される一方、補正処理部２０Ｂの他方の入力端は補正データメモリ２０Ｃの出力端に接続されており、補正処理部２０Ｂは、バッファメモリ２０Ａから入力されるデジタル画像データに対し、補正データメモリ２０Ｃに記憶されている補正データを用いて予め定められた画像補正処理を施す。なお、本実施の形態に係る電子カセッテ３２では、上記予め定められた画像補正処理として、シェーディング補正および欠陥画素補正を適用している。
【００９２】
補正処理部２０Ｂの画像補正処理が施されたデジタル画像データを出力する出力端は画像処理部２０Ｄの入力端に接続されており、画像処理部２０Ｄは、補正処理部２０Ｂから入力されたデジタル画像データに対して予め定められた画像処理を施す。なお、本実施の形態に係る電子カセッテ３２では、上記予め定められた画像処理として、ガンマ補正処理およびノイズ除去処理を適用している。
【００９３】
一方、無線通信系ブロック２２には、バッファメモリ２２Ａ、フォーマット変換部２２Ｂ、および無線通信部２２Ｃが備えられている。
【００９４】
バッファメモリ２２Ａの入力端は画像処理部２０Ｄの画像処理が施されたデジタル画像データを出力する出力端に接続されており、画像処理部２０Ｄから出力されたデジタル画像データはバッファメモリ２２Ａに順に記憶される。バッファメモリ２２Ａもまたバッファメモリ２０Ａと同様に複数フレーム分のデジタル画像データを記憶可能な記憶容量を有しており、放射線画像の撮影が行われる毎に、撮影によって得られたデジタル画像データがバッファメモリ２２Ａに順次記憶される。
【００９５】
バッファメモリ２２Ａの出力端はフォーマット変換部２２Ｂの入力端に接続されており、フォーマット変換部２２Ｂは、バッファメモリ２２Ａから入力されたデジタル画像データに対して予め定められたフォーマット変換処理を施す。なお、本実施の形態に係る電子カセッテ３２では、上記予め定められたフォーマット変換処理として、デジタル画像データに対する圧縮処理（本実施の形態では、可逆圧縮処理）を適用している。
【００９６】
そして、フォーマット変換部２２Ｂのフォーマット変換処理が施されたデジタル画像データを出力する出力端は無線通信部２２Ｃの入力端に接続されており、無線通信部２２Ｃは、フォーマット変換部２２Ｂから入力されたデジタル画像データを無線で送信する。
【００９７】
本実施の形態に係る無線通信部２２Ｃは、ＩＥＥＥ（Institute of Electrical and Electronics Engineers）８０２．１１ａ／ｂ／ｇ等に代表される無線ＬＡＮ（Local Area Network）規格に対応しており、無線通信による外部機器との間での各種情報の伝送を制御する。カセッテ制御部９２は、無線通信部２２Ｃを介してコンソール４２と無線通信が可能とされており、これによってコンソール４２との間で各種情報の送受信ができる。
【００９８】
一方、有線通信系ブロック２４には、バッファメモリ２４Ａ、フォーマット変換部２４Ｂ、有線通信部２４Ｃ、および電源フィルタ２４Ｄが備えられている。
【００９９】
バッファメモリ２４Ａの入力端は信号処理部８２におけるＡ／Ｄ変換器の出力端に接続されており、当該Ａ／Ｄ変換器から出力されたデジタル画像データはバッファメモリ２４Ａにも順に記憶される。バッファメモリ２４Ａもまた複数フレーム分のデジタル画像データを記憶可能な記憶容量を有しており、放射線画像の撮影が行われる毎に、撮影によって得られたデジタル画像データがバッファメモリ２４Ａに順次記憶される。
【０１００】
バッファメモリ２４Ａの出力端はフォーマット変換部２４Ｂの入力端に接続されており、フォーマット変換部２４Ｂは、バッファメモリ２４Ａから入力されたデジタル画像データに対して予め定められたフォーマット変換処理を施す。なお、本実施の形態に係る電子カセッテ３２では、上記予め定められたフォーマット変換処理として、フォーマット変換部２２Ｂと同様に、デジタル画像データに対する圧縮処理（本実施の形態では、可逆圧縮処理）を適用している。
【０１０１】
そして、フォーマット変換部２４Ｂのフォーマット変換処理が施されたデジタル画像データを出力する出力端は有線通信部２４Ｃの入力端に接続されており、有線通信部２４Ｃは、フォーマット変換部２４Ｂから入力されたデジタル画像データを有線で送信する。
【０１０２】
本実施の形態に係る有線通信部２４Ｃは、ＵＳＢ（Universal Serial Bus）規格に対応しており、有線通信による外部機器との間での各種情報の伝送を制御する。
【０１０３】
ところで、本実施の形態に係る電子カセッテ３２は、前述したように静止画像の撮影を行う静止画撮影モードに加えて、動画像の撮影を行う動画撮影モードも搭載しており、動画像の撮影を行う際には、静止画像の撮影を行う場合に比較して高速なデータ転送を必要とする。例えば、動画像の撮影を行う際の仕様が２０４８×２０４８画素×１６（ｂｉｔ／画素）×３０（フレーム／秒）とされている場合、約２Ｇｂｐｓ（bit per second）のデータ転送速度が必要であり、動画像の撮影を行う際の仕様が１５３６×１５３６画素×１６（ｂｉｔ／画素）×３０（フレーム／秒）とされている場合では、約１．１Ｇｂｐｓのデータ転送速度が必要である。
【０１０４】
これに対し、現在の無線通信の規格では、このようなデータ転送速度を満足するものがない。例えば、ＩＥＥＥ８０２．１１．ａのデータ転送速度が５４Ｍｂｐｓで、ＵＷＢ（Ultra Wide Band）、ＷｉｒｅｌｅｓｓＵＳＢ等でも１００〜４８０Ｍｂｐｓであり、現在、規格策定中のＩＥＥＥ８０２．１１ｎで最大転送速度は６００Ｍｂｐｓ（実効転送速度は１００Ｍｂｐｓ程度）で、さらに次世代のＩＥＥＥ８０２．１１ｖｈｔ（Very High Throughput）で１Ｇｂｐｓ以上を計画中であるが、実効転送速度が十分でない可能性がある。最大転送速度が１Ｇｂｐｓの赤外線レーザを使うＩｒＤＡで標準化中の高速赤外線通信Ｇｉｇａ−ＩＲも同様である。
【０１０５】
このため、本実施の形態に係る電子カセッテ３２では、有線通信部２４Ｃの通信規格として、最大５Ｇｂｐｓのデータ転送速度を有するＵＳＢ３．０を適用し、動画像の撮影を行う際には、動画像の撮影によって得られたデジタル画像データを外部機器に有線通信部２４Ｃを介してリアルタイムで送信する。なお、有線通信部２４Ｃの通信規格はＵＳＢ３．０に限るものではなく、１０００Ｂａｓｅ−Ｔ、１０ＧＢａｓｅ−Ｔ等の通信規格や光ファイバ通信等といった、動画像の撮影により得られた画像データをリアルタイムで転送することのできる他の通信規格を適用する形態としてもよいことは言うまでもない。
【０１０６】
また、有線通信系ブロック２４に設けられた電源フィルタ２４Ｄは、入力された電力に対してフィルタリング処理を施すものであり、本実施の形態に係る電子カセッテ３２では、パッシブ型のコモンモードフィルタが適用されている。
【０１０７】
さらに、電子カセッテ３２には、接続端子２６が設けられており、有線通信系ブロック２４における有線通信部２４Ｃの出力端および電源フィルタ２４Ｄの入力端は接続端子２６に接続されている。従って、有線通信部２４Ｃは、接続端子２６に接続された外部機器との間で有線通信を行う一方、電源フィルタ２４Ｄは、接続端子２６に接続された外部機器から供給された電力が入力される。
【０１０８】
一方、本実施の形態に係る電子カセッテ３２には電源部９６が設けられており、上述した各種回路や各素子（放射線検出器６０、ゲート線ドライバ８０、信号処理部８２、画像処理系ブロック２０、無線通信系ブロック２２の各部や、カセッテ制御部９２として機能するマイクロコンピュータ等）は、電源部９６から供給された電力によって作動する。
【０１０９】
電源部９６は、前述したバッテリ（二次電池）９６Ａと、バッテリ９６Ａから出力された電力の電圧を電力供給先となる各部に必要とされる電圧に変換する電圧変換部９６Ｂと、電圧変換部９６Ｂから出力された電力に対してフィルタリング処理を施す電源フィルタ９６Ｃとを内蔵しており、充電されたバッテリ９６Ａから電圧変換部９６Ｂおよび電源フィルタ９６Ｃを介して上記各種回路や各素子へ電力を供給する。なお、図４では、電源部９６と上記各種回路や各素子を接続する配線を省略している。
【０１１０】
本実施の形態に係る電子カセッテ３２では、バッテリ９６Ａとしてリチウム・イオン電池が適用されているが、これに限らず、ニッケル水素電池、ニッケル・カドミウム電池等の他の二次電池を適用する形態としてもよい。また、本実施の形態に係る電子カセッテ３２では、電源フィルタ９６Ｃとしても、電源フィルタ２４Ｄと同様にパッシブ型のコモンモードフィルタが適用されている。
【０１１１】
なお、電源フィルタ２４Ｄは、電源フィルタ９６Ｃと同様の構成とされており、その出力端もまた電源フィルタ９６Ｃと同様に上記各種回路や各素子に接続されている。
【０１１２】
ところで、本実施の形態に係る電子カセッテ３２は、前述したように動作モードとして静止画撮影モードおよび動画撮影モードの２つのモードが用意されているが、内蔵された電源部９６および画像処理系ブロック２０を用いて動画像の撮影を行った場合、予め定められた発熱量（本実施の形態では、電子カセッテ３２の表面温度が４２℃となる発熱量）以上となってしまう。
【０１１３】
これは、動画撮影を行う場合は、静止画撮影を行う場合に比較して、前述したように高速なデータ転送を必要とするため、バッテリ９６Ａから供給される電力の電圧を、より大きくする必要があると共に、各部に入力される同期制御用のクロック信号の周波数を、より高くする必要があるためである。
【０１１４】
しかしながら、放射線撮影、特に動画撮影では患者が電子カセッテ３２に長時間接触することが多いので、火傷（低温火傷を含む。）を防止する必要があり、このために電子カセッテ３２の表面温度を４２℃以下に抑える必要がある。なお、タンパク質の変質が始まるのが約４２℃であり、低温火傷も４２℃から始まるとされている。温度が高くなるほど低温火傷するまでの期間は短くなり、４４℃で６時間程度、４５℃で３時間程度、４６℃で１．５時間程度、５５℃で３０秒程度と言われている。
【０１１５】
このため、本実施の形態に係る撮影システム１８では、電子カセッテ３２の各電力供給先に電力を供給することができる機能、および電子カセッテ３２の画像処理系ブロック２０と同様の機能を有する外部装置３６を用意しておき、電子カセッテ３２により動画像の撮影を行う際には外部装置３６を電子カセッテ３２に接続し、当該外部装置３６によって電子カセッテ３２の機能の一部を肩代わりさせることにより、電子カセッテ３２の発熱量を抑制するようにしている。
【０１１６】
図４に示すように、本実施の形態に係る外部装置３６は、外部装置３６全体の動作を制御する外部装置制御部３６Ａ、バッファメモリ３６Ｂ、補正処理部３６Ｃ、補正データメモリ３６Ｄ、画像処理部３６Ｅ、外部電源部３６Ｆ、接続端子３６Ｇ、および接続端子３６Ｈを備えている。
【０１１７】
ここで、接続端子３６Ｇは電子カセッテ３２の接続端子２６と通信ケーブル３８により接続されるものであり、接続端子３６Ｈはコンソール４２と通信ケーブル３７により接続されるものである。
【０１１８】
また、外部装置制御部３６Ａの入力端は接続端子３６Ｇに接続される一方、出力端は接続端子３６Ｈに接続されており、外部装置制御部３６Ａは、通信ケーブル３８により電子カセッテ３２に接続された状態で、電子カセッテ３２のカセッテ制御部９２と有線通信部２４Ｃを介して各種情報の授受を行うと共に、通信ケーブル３７によりコンソール４２に接続された状態で、コンソール４２と各種情報の授受を行うことができる。これにより、外部装置制御部３６Ａは、電子カセッテ３２とコンソール４２との間の各種情報の受け渡しを行う役割を有する。
【０１１９】
また、外部装置制御部３６Ａは、バッファメモリ３６Ｂ、補正処理部３６Ｃ、補正データメモリ３６Ｄ、および画像処理部３６Ｅにも接続されており、外部装置制御部３６Ａは、これら各部の作動を制御する役割も有する。
【０１２０】
一方、バッファメモリ３６Ｂの入力端は接続端子３６Ｇに接続されており、通信ケーブル３８により電子カセッテ３２に接続された状態で、電子カセッテ３２の有線通信部２４Ｃから出力されたデジタル画像データはバッファメモリ３６Ｂに順に記憶される。バッファメモリ３６Ｂもまた複数フレーム分のデジタル画像データを記憶可能な記憶容量を有しており、放射線画像の撮影が行われる毎に、撮影によって得られたデジタル画像データがバッファメモリ３６Ｂに順次記憶される。
【０１２１】
バッファメモリ３６Ｂの出力端は２入力とされた補正処理部３６Ｃの一方の入力端に接続される一方、補正処理部３６Ｃの他方の入力端は補正データメモリ３６Ｄの出力端に接続されており、補正処理部３６Ｃは、バッファメモリ３６Ｂから入力されるデジタル画像データに対し、補正データメモリ３６Ｄに記憶されている補正データを用いて予め定められた画像補正処理を施す。なお、本実施の形態に係る外部装置３６では、上記予め定められた画像補正処理として、電子カセッテ３２に設けられている補正処理部２０Ｂと同一のシェーディング補正および欠陥画素補正を適用している。
【０１２２】
補正処理部３６Ｃの画像補正処理が施されたデジタル画像データを出力する出力端は画像処理部３６Ｅの入力端に接続されており、画像処理部３６Ｅは、補正処理部３６Ｃから入力されたデジタル画像データに対して予め定められた画像処理を施す。なお、本実施の形態に係る外部装置３６では、上記予め定められた画像処理として、電子カセッテ３２に設けられている画像処理部２０Ｄと同一のガンマ補正処理およびノイズ除去処理を適用している。
【０１２３】
また、画像処理部３６Ｅは接続端子３６Ｈに接続されており、外部装置３６が通信ケーブル３７によりコンソール４２に接続された状態で、コンソール４２に対して、画像処理部３６Ｅにより画像処理が施されたデジタル画像データを送信する。
【０１２４】
なお、外部装置３６は動画像の撮影時に用いられるものであるのに対し、電子カセッテ３２に設けられた画像処理系ブロック２０は静止画像の撮影時に用いられるものであるため、外部装置３６に設けられた補正処理部３６Ｃおよび画像処理部３６Ｅは、画像処理系ブロック２０に設けられている補正処理部２０Ｂおよび画像処理部２０Ｄに比較して高速に作動するものが適用されている。
【０１２５】
さらに、外部装置３６に設けられた外部電源部３６Ｆは、電子カセッテ３２に設けられたバッテリ９６Ａおよび電圧変換部９６Ｂによって生成される各種電圧の電力と同様の電力を生成するものであり、その出力端が接続端子３６Ｇに接続されている。従って、外部電源部３６Ｆは、外部装置３６が通信ケーブル３８を介して電子カセッテ３２に接続された状態で、生成した電力を電源フィルタ２４Ｄに供給する。
【０１２６】
なお、前述したように、電源フィルタ２４Ｄは、電源フィルタ９６Ｃと同様の構成とされており、その出力端もまた電源フィルタ９６Ｃと同一の電力供給先に接続されているため、外部装置３６が通信ケーブル３８を介して電子カセッテ３２に接続された状態では、外部電源部３６Ｆから供給される電力が電源フィルタ２４Ｄを介して各電力供給先に供給されることになる。
【０１２７】
本実施の形態に係る撮影システム１８では、静止画像の撮影を行う際には電子カセッテ３２と外部装置３６とを接続せず、動画像の撮影を行う際には電子カセッテ３２と外部装置３６とを接続する。これにより、静止画像の撮影時における電子カセッテ３２の可搬性を確保すると共に、動画像の撮影時における発熱量を抑制することができる。なお、外部装置３６とコンソール４２とは通信ケーブル３７を介して常時接続されている。
【０１２８】
また、本実施の形態に係る撮影システム１８では、カセッテ制御部９２により、静止画像の撮影を行う際には、電源部３６から電子カセッテ３２に内蔵された有線通信系ブロック２４を除く各電力供給先に対して電力が供給され、動画像の撮影を行う際には、外部電源部３６Ｆから電子カセッテ３２に内蔵された画像処理系ブロック２０、無線通信系ブロック２２、および電源部９６を除く各電力供給先に対して電力が供給されるように制御する。
【０１２９】
一方、コンソール４２は、サーバ・コンピュータとして構成されており、操作メニューや撮影された放射線画像等を表示するディスプレイ１００と、複数のキーを含んで構成され、各種の情報や操作指示が入力される操作パネル１０２と、を備えている。
【０１３０】
また、本実施の形態に係るコンソール４２は、装置全体の動作を司るＣＰＵ１０４と、制御プログラムを含む各種プログラム等が予め記憶されたＲＯＭ１０６と、各種データを一時的に記憶するＲＡＭ１０８と、各種データを記憶して保持するＨＤＤ１１０と、ディスプレイ１００への各種情報の表示を制御するディスプレイドライバ１１２と、操作パネル１０２に対する操作状態を検出する操作入力検出部１１４と、を備えている。
【０１３１】
また、コンソール４２は、接続端子４２Ａに接続され、通信ケーブル３５を介して放射線発生装置３４に接続された状態で放射線発生装置３４との間で後述する曝射条件等の各種情報の送受信を行う通信インタフェース（Ｉ／Ｆ）部１１６と、外部装置３６との間で有線通信により各種情報の送受信を行う有線通信部１１８と、電子カセッテ３２との間で無線通信により各種情報の送受信を行う無線通信部１２０と、を備えている。
【０１３２】
ＣＰＵ１０４、ＲＯＭ１０６、ＲＡＭ１０８、ＨＤＤ１１０、ディスプレイドライバ１１２、操作入力検出部１１４、通信Ｉ／Ｆ部１１６、有線通信部１１８、および無線通信部１２０は、システムバスＢＵＳを介して相互に接続されている。従って、ＣＰＵ１０４は、ＲＯＭ１０６、ＲＡＭ１０８、ＨＤＤ１１０へのアクセスを行うことができると共に、ディスプレイドライバ１１２を介したディスプレイ１００への各種情報の表示の制御、通信Ｉ／Ｆ部１１６を介した放射線発生装置３４との各種情報の送受信の制御、有線通信部１１８を介した外部装置３６との各種情報の送受信、および無線通信部１２０を介した電子カセッテ３２との各種情報の送受信の制御を各々行うことができる。また、ＣＰＵ１０４は、操作入力検出部１１４を介して操作パネル１０２に対するユーザの操作状態を把握することができる。
【０１３３】
一方、放射線発生装置３４は、放射線Ｘを射出する放射線源１３０と、接続端子３４Ａに接続され、通信ケーブル３５を介してコンソール４２に接続された状態で、コンソール４２との間で曝射条件等の各種情報を送受信する通信Ｉ／Ｆ部１３２と、受信した曝射条件に基づいて放射線源１３０を制御する線源制御部１３４と、を備えている。
【０１３４】
線源制御部１３４もマイクロコンピュータによって構成されており、受信した曝射条件や姿勢情報を記憶する。このコンソール４２から受信する曝射条件には管電圧、管電流、照射期間等の情報が含まれている。線源制御部１３４は、受信した曝射条件に基づいて放射線源１３０から放射線Ｘを照射させる。
【０１３５】
なお、コンソール４２と放射線発生装置３４とは通信ケーブル３５を介して常時接続されている。
【０１３６】
ところで、本実施の形態に係る撮影システム１８では、各放射線撮影室４４において放射線撮影を行う患者に関する情報を撮影オーダ情報として保持し、当該撮影オーダ情報に基づいて各患者の放射線撮影を行う。
【０１３７】
このため、各放射線撮影室４４に設けられているコンソール４２は、ＲＩＳサーバ１４からデータベース１４Ａに含まれる上記患者情報および上記撮影メニューを取得して撮影オーダ情報としてＨＤＤ１１０に記憶し、当該撮影オーダ情報に基づいて、電子カセッテ３２および放射線発生装置３４の制御を行う。
【０１３８】
図５には、本実施の形態に係る撮影オーダ情報が模式的に示されている。
【０１３９】
同図に示されるように、本実施の形態に係る撮影オーダ情報は、前述した氏名、ＩＤ、性別等といった、撮影が予定されている患者に関する患者情報、および前述した撮影部位、撮影枚数、姿勢、動作モード等といった、対応する患者の放射線撮影に関する撮影メニューが組み合わされた状態で構成されている。
【０１４０】
同図に示される撮影オーダ情報では、例えば、「山田太郎」のＩＤが「０１−００１」で性別が「男」であり、撮影枚数が４枚で撮影時における患者の姿勢が「立位」であり、電子カセッテ３２に設定する動作モードが静止画撮影モードであること等を示す情報が記憶されている。
【０１４１】
次に、本実施の形態に係る撮影システム１８の作用を説明する。なお、ここでは、錯綜を回避するために、上記撮影オーダ情報がコンソール４２のＨＤＤ１１０に記憶されている場合について説明する。
【０１４２】
まず、放射線撮影を行う放射線技師または医師（以下、「撮影者」と称する。）は、放射線撮影室４４に設けられたコンソール４２に対して、これから撮影を行う被検者を示す情報（本実施の形態では、被検者の氏名）を、操作パネル１０２を介して入力すると共に、電子カセッテ３２の不図示の電源スイッチがオフ状態となっている場合はオン状態とする一方、オン状態となっている場合には一端オフ状態にしてからオン状態とすることにより電子カセッテ３２をリセットした後、動作モード送信処理の実行指示を、操作パネル１０２を介して入力する。
【０１４３】
次に、図６を参照して、動作モード送信処理を実行する際のコンソール４２の作用を説明する。なお、図６は、この際にコンソール４２のＣＰＵ１０４によって実行される動作モード送信処理プログラムの処理の流れを示すフローチャートであり、当該プログラムはＲＯＭ１０６の所定領域に予め記憶されている。
【０１４４】
同図のステップ２００では、放射線撮影室４４に設けられている電子カセッテ３２が、無線通信部２２Ｃによる無線通信が可能な状態となるまで待機し、次のステップ２０２では、撮影オーダ情報（図５も参照。）における上記被検者を示す情報に対応する動作モードを示す情報をＨＤＤ１１０から読み出す。
【０１４５】
そして、次のステップ２０４では、上記ステップ２０２において読み出した動作モードを示す情報を、無線通信部１２０を介して電子カセッテ３２に送信し、その後に本動作モード送信処理プログラムを終了する。
【０１４６】
次に、図７を参照して、コンソール４２から上記動作モードを示す情報を受信した際の電子カセッテ３２の作用を説明する。なお、図７は、この際に電子カセッテ３２のＣＰＵ９２Ａによって実行される動作モード設定処理プログラムの処理の流れを示すフローチャートであり、当該プログラムはメモリ９２ＢのＲＯＭにおける所定領域に予め記憶されている。また、ここでは、デフォルト（初期設定）として、電源部９６から電子カセッテ３２に内蔵された給電対象各部への給電が行われており、電子カセッテ３２に内蔵された、同期制御用のクロック信号が入力される各部への当該クロック信号の入力が行われている場合について説明する。
【０１４７】
同図のステップ３００では、受信した情報により示される動作モードが動画撮影モードであるか否かを判定し、否定判定となった場合は当該動作モードが静止画撮影モードであるものと見なしてステップ３０２に移行し、電源部９６から有線通信系ブロック２４への給電を停止するように制御する。
【０１４８】
次のステップ３０４では、有線通信系ブロック２４への同期制御用のクロック信号の入力を停止するように制御し、次のステップ３０６にて、静止画の撮影準備が終了したことを示す情報（以下、「静止画撮影準備終了情報」と称する。）を、無線通信部２２Ｃを介してコンソール４２に送信し、その後に本動作モード設定処理プログラムを終了する。
【０１４９】
一方、上記ステップ３００において肯定判定となった場合にはステップ３０８に移行し、外部装置３６に通信ケーブル３８を介して接続されているか否かを判定し、肯定判定となった場合はステップ３１０に移行して、外部装置３６の外部電源部３６Ｆから供給される電力の、画像処理系ブロック２０および無線通信系ブロック２２を除く給電対象各部（電子カセッテ３２に設けられた画像処理系ブロック２０および無線通信系ブロック２２以外の給電対象各部および外部装置３６に設けられた給電対象各部）への給電を開始するように制御し、次のステップ３１２では、電源部９６からの給電を停止するように制御し、次のステップ３１４では、電源部９６、画像処理系ブロック２０および無線通信系ブロック２２への同期制御用のクロック信号の入力を停止するように制御する。
【０１５０】
次のステップ３１６では、外部装置３６の画像処理系の各部（本実施の形態では、外部装置制御部３６Ａ、バッファメモリ３６Ｂ、補正処理部３６Ｃ、補正データメモリ３６Ｄ、および画像処理部３６Ｅ）への同期制御用のクロック信号の入力を開始するように制御し、次のステップ３１８にて、動画像の撮影準備が終了したことを示す情報（以下、「動画撮影準備終了情報」と称する。）を、有線通信部２４Ｃおよび外部装置制御部３６Ａを介してコンソール４２に送信し、その後に本動作モード設定処理プログラムを終了する。
【０１５１】
一方、上記ステップ３０８において否定判定となった場合にはステップ３２０に移行し、電子カセッテ３２による撮影を禁止することを示す情報（以下、「撮影禁止情報」と称する。）を、無線通信部２２Ｃを介してコンソール４２に送信し、その後に本動作モード設定処理プログラムを終了する。
【０１５２】
なお、本動作モード設定処理プログラムの実行により電子カセッテ３２から送信された情報（本実施の形態では、静止画撮影準備終了情報、動画撮影準備終了情報、撮影禁止情報の何れかの情報）は、コンソール４２におけるＨＤＤ１１０の所定領域に記憶される。
【０１５３】
一方、撮影者は、コンソール４２を操作して、撮影オーダ情報に含まれる、被検者に関する撮影メニューをディスプレイ１００により表示させ、当該撮影メニューから把握される被検者の撮影部位や撮影条件に応じて、コンソール４２の操作パネル１０２を介して放射線Ｘを照射する際の管電圧、管電流、及び照射期間を指定する曝射条件指定操作を行う。
【０１５４】
コンソール４２は、曝射条件指定操作が行われると、放射線画像撮影処理を実行する。
【０１５５】
次に、図８を参照して、放射線画像撮影処理の実行時におけるコンソール４２の作用を説明する。なお、図８は、この際にコンソール４２のＣＰＵ１０４によって実行される放射線画像撮影処理プログラムの処理の流れを示すフローチャートであり、当該プログラムはＲＯＭ１０６の所定領域に予め記憶されている。
【０１５６】
同図のステップ４００では、電子カセッテ３２から受信して記憶した静止画撮影準備終了情報、動画撮影準備終了情報、および撮影禁止情報の何れかの情報をＨＤＤ１１０から読み出し、次のステップ４０２では、読み出した情報が静止画撮影準備終了情報および動画撮影準備終了情報の何れかであったか否かを判定し、肯定判定となった場合にはステップ４０４に移行する。
【０１５７】
ステップ４０４では、撮影を許可することを示す予め定められた情報をディスプレイ１００により表示させるようにディスプレイドライバ１１２を制御し、次のステップ４０６にて所定情報の入力待ちを行う。
【０１５８】
図９には、上記ステップ４０４の処理によってディスプレイ１００により表示される情報の一例が示されている。同図に示される例では、「撮影可能です。所定の準備をした後、撮影実行ボタンを指定して下さい。」とのメッセージが、撮影実行ボタンと共に表示される。
【０１５９】
同図に示されるような情報がディスプレイ１００により表示されると、撮影者は、ディスプレイ１００により表示されていた撮影メニューから把握される、撮影時における被検者の姿勢（臥位または立位）に応じて、被検者をベッド４６の上方空間の撮影位置５０に横臥させるか、またはラック４５の前方空間における撮影位置４８に立たせる。
【０１６０】
次いで撮影者は、把握した撮影対象部位に応じて、電子カセッテ３２をベッド４６の床面と当該撮影対象部位の間に配置するか、または当該撮影対象部位に対応するラック４５の高さ方向の位置に配置する。
【０１６１】
次いで撮影者は、撮影対象部位の前方に放射線発生装置３４を配置するように支持移動機構５２を操作し、その後にディスプレイ１００により表示されている撮影実行ボタンを指定する。これに応じて上記ステップ４０６が肯定判定となってステップ４０８に移行する。
【０１６２】
ステップ４０８では、上記ステップ４００の処理において読み出した情報が静止画撮影準備終了情報であったか否かを判定することにより、静止画像の撮影を行うか否かを判定し、肯定判定となった場合はステップ４１０に移行して、指定された曝射条件を放射線発生装置３４及び電子カセッテ３２へ送信することにより当該爆射条件を設定する。これに応じて線源制御部１３４は、受信した曝射条件での曝射準備を行う。
【０１６３】
次のステップ４１２では、曝射の開始を指示する指示情報を放射線発生装置３４及び電子カセッテ３２へ送信する。
【０１６４】
これに応じて、放射線源１３０は、放射線発生装置３４がコンソール４２から受信した曝射条件に応じた管電圧、管電流、及び照射期間で放射線を発生して射出する。
【０１６５】
放射線源１３０から照射された放射線Ｘは、被検者を透過した後に電子カセッテ３２に到達する。これにより、電子カセッテ３２に内蔵された放射線検出器６０の各画素部７４の蓄積容量６８には電荷が蓄積される。
【０１６６】
電子カセッテ３２のカセッテ制御部９２は、曝射の開始を指示する指示情報を受信してから曝射条件で指定された照射期間の経過後にゲート線ドライバ８０を制御してゲート線ドライバ８０から１ラインずつ順に各ゲート配線７６にオン信号を出力させ、各ゲート配線７６に接続された各ＴＦＴ７０を１ラインずつ順にオンさせる。
【０１６７】
放射線検出器６０は、各ゲート配線７６に接続された各ＴＦＴ７０を１ラインずつ順にオンされると、１ラインずつ順に各蓄積容量６８に蓄積された電荷が電気信号として各データ配線７８に流れ出す。各データ配線７８に流れ出した電気信号は信号処理部８２でデジタル画像データに変換されて、バッファメモリ２０Ａに記憶される。
【０１６８】
カセッテ制御部９２は、撮影終了後、バッファメモリ２０Ａに記憶されたデジタル画像データに対し、画像処理系ブロック２０の補正処理部２０Ｂにて画像補正処理を施し、画像処理部２０Ｄにて画像処理を施した後、無線通信系ブロック２２を介して無線通信によりコンソール４２へ送信する。
【０１６９】
そこで、次のステップ４１４では、当該デジタル画像データが電子カセッテ３２から受信されるまで待機し、次のステップ４１６にて、受信したデジタル画像データ（以下、「受信画像データ」と称する。）をＨＤＤ１１０に記憶し、次のステップ４１８にて、受信画像データにより示される放射線画像を、確認等を行うためにディスプレイ１００によって表示させるようにディスプレイドライバ１１２を制御した後、後述するステップ４３４に移行する。
【０１７０】
一方、上記ステップ４０８において否定判定となった場合には、動画像の撮影を行うものと見なしてステップ４２０に移行し、指定された曝射条件を放射線発生装置３４及び電子カセッテ３２へ送信することにより当該爆射条件を設定する。これに応じて線源制御部１３４は、受信した曝射条件での曝射準備を行う。
【０１７１】
次のステップ４２２では、曝射の開始を指示する指示情報を放射線発生装置３４及び電子カセッテ３２へ送信する。
【０１７２】
これに応じて、放射線源１３０は、放射線発生装置３４がコンソール４２から受信した曝射条件に応じた管電圧、管電流、及び照射期間で放射線を発生して射出する。
【０１７３】
放射線源１３０から照射された放射線Ｘは、被検者を透過した後に電子カセッテ３２に到達する。これにより、電子カセッテ３２に内蔵された放射線検出器６０の各画素部７４の蓄積容量６８には電荷が蓄積される。
【０１７４】
これ以降、電子カセッテ３２では、静止画像の撮影時と略同様の撮影動作を行うが、動画像の撮影では、当該撮影動作が動画像の撮影速度として予め定められた速度（本実施の形態では、３０フレーム／秒）で実行される点、受信した曝射条件に応じた照射期間だけ連続して撮影を行う点、および撮影によって得られたデジタル画像データを有線通信系ブロック２４、外部装置３６を介してコンソール４２に送信する点が相違している。
【０１７５】
そこで、次のステップ４２４では、１フレーム分のデジタル画像データが電子カセッテ３２から受信されるまで待機し、次のステップ４２６にて、受信したデジタル画像データ（受信画像データ）をＨＤＤ１１０に記憶し、次のステップ４２８にて、受信画像データにより示される放射線画像を、確認等を行うためにディスプレイ１００によって表示させるようにディスプレイドライバ１１２を制御した後、次のステップ４３０にて、動画像の撮影が終了したか否かを判定して、否定判定となった場合は上記ステップ４２４に戻る一方、肯定判定となった時点でステップ４３４に移行する。なお、本実施の形態に係る放射線画像撮影処理プログラムでは、上記ステップ４３０における動画撮影が終了したか否かの判定を、電子カセッテ３２からのデジタル画像データの受信が終了してから所定期間（本実施の形態では、１秒間）以上、デジタル画像データを受信しなかったか否かを判定することにより行っているが、これに限定されず、撮影者により、操作パネル１０２等の入力手段を介して動画像の撮影が終了したことを示す情報が入力されたか否かを判定することによって行う形態等、他の形態としてもよいことは言うまでもない。
【０１７６】
ステップ４３４では、受信画像データをＲＩＳサーバ１４へ病院内ネットワーク１６を介して送信した後、本放射線画像撮影処理プログラムを終了する。なお、ＲＩＳサーバ１４へ送信された受信画像データはデータベース１４Ａに格納され、医師が撮影された放射線画像の読影や診断等を行うことが可能となる。
【０１７７】
一方、上記ステップ４０２において否定判定となった場合は上記ステップ４００の処理によって読み出した情報が撮影禁止情報であったものと見なしてステップ４３６に移行し、放射線画像の撮影を禁止するものとして予め定められた処理（以下、「放射線撮影禁止処理」と称する。）を実行する。なお、本実施の形態に係る放射線画像撮影処理プログラムでは、本ステップ４３６において実行される放射線撮影禁止処理として、放射線発生装置３４に対して放射線源１３０に対する駆動用の電力の供給経路を強制的に遮断させる指示情報を送信する処理を適用しているが、これに限らず、例えば、電子カセッテ３２に対して各部の作動を停止させる指示情報を送信する処理等、放射線画像の撮影を禁止することのできる他の処理を適用することができることは言うまでもない。
【０１７８】
次のステップ４３８では、撮影を中止することを示す予め定められた情報をディスプレイ１００により表示させるようにディスプレイドライバ１１２を制御し、その後に本放射線画像撮影処理プログラムを終了する。
【０１７９】
図１０には、上記ステップ４３８の処理によってディスプレイ１００により表示される情報の一例が示されている。同図に示される例では、「本撮影では、外部装置にケーブルで接続する必要があります。現在接続されておりませんので、撮影を中止します。」という情報が表示される。従って、当該情報を参照することにより、撮影者は、電子カセッテ３２の外部装置３６への接続が必要な撮影であること、および撮影が中止されたことを容易に把握することができる。
【０１８０】
［第２の実施の形態］
以下、本発明の第２の実施の形態について説明する。なお、本第２の実施の形態に係るＲＩＳ１０および撮影システム１８の構成は、上記第１の実施の形態と同様であるので、ここでの説明は省略する。
【０１８１】
以下、本第２の実施の形態に係る撮影システム１８の作用を説明する。
【０１８２】
本第２の実施の形態に係る撮影システム１８においても、コンソール４２において上記第１の実施の形態に係る動作モード送信処理プログラム（図６参照。）が実行され、電子カセッテ３２に対して動作モードを示す情報が送信される。
【０１８３】
次に、図１１を参照して、コンソール４２から上記動作モードを示す情報を受信した際の電子カセッテ３２の作用を説明する。なお、図１１は、この際に本第２の実施の形態に係る電子カセッテ３２のＣＰＵ９２Ａによって実行される動作モード設定処理プログラムの処理の流れを示すフローチャートであり、当該プログラムはメモリ９２ＢのＲＯＭにおける所定領域に予め記憶されている。また、ここでは、デフォルト（初期設定）として、電源部９６から電子カセッテ３２に内蔵された給電対象各部への給電が行われており、電子カセッテ３２に内蔵された、同期制御用のクロック信号が入力される各部への当該クロック信号の入力が行われている場合について説明する。
【０１８４】
同図のステップ３５０では、外部装置３６に通信ケーブル３８を介して接続されているか否かを判定し、肯定判定となった場合はステップ３５２に移行して、受信した情報により示される動作モードが動画撮影モードであるか否かを判定し、肯定判定となった場合はステップ３５４に移行する。
【０１８５】
ステップ３５４では、外部装置３６の外部電源部３６Ｆから供給される電力の、画像処理系ブロック２０および無線通信系ブロック２２を除く給電対象各部（電子カセッテ３２に設けられた画像処理系ブロック２０および無線通信系ブロック２２以外の給電対象各部および外部装置３６に設けられた給電対象各部）への給電を開始するように制御し、次のステップ３５６では、電源部９６からの給電を停止するように制御し、次のステップ３５８では、電源部９６、画像処理系ブロック２０および無線通信系ブロック２２への同期制御用のクロック信号の入力を停止するように制御する。
【０１８６】
次のステップ３６０では、外部装置３６の画像処理系の各部（本実施の形態では、外部装置制御部３６Ａ、バッファメモリ３６Ｂ、補正処理部３６Ｃ、補正データメモリ３６Ｄ、および画像処理部３６Ｅ）への同期制御用のクロック信号の入力を開始するように制御し、次のステップ３６２にて、動画像の撮影準備が終了したことを示す情報（動画撮影準備終了情報）を、有線通信部２４Ｃおよび外部装置制御部３６Ａを介してコンソール４２に送信し、その後に本動作モード設定処理プログラムを終了する。
【０１８７】
一方、上記ステップ３５０またはステップ３５２において否定判定となった場合は、外部装置３６に接続されていないか、または受信した情報により示される動作モードが静止画撮影モードであったものと見なしてステップ３６４に移行し、電源部９６から有線通信系ブロック２４への給電を停止するように制御する。
【０１８８】
次のステップ３６６では、有線通信系ブロック２４への同期制御用のクロック信号の入力を停止するように制御し、次のステップ３６８では、受信した情報により示される動作モードが静止画撮影モードであるか否かを判定し、肯定判定となった場合はステップ３７０に移行して、静止画の撮影準備が終了したことを示す情報（静止画撮影準備終了情報）を、無線通信部２２Ｃを介してコンソール４２に送信し、その後に本動作モード設定処理プログラムを終了する。
【０１８９】
一方、上記ステップ３６８において否定判定となった場合にはステップ３７２に移行して、電子カセッテ３２による撮影を禁止することを示す情報（撮影禁止情報）を、無線通信部２２Ｃを介してコンソール４２に送信し、その後に本動作モード設定処理プログラムを終了する。
【０１９０】
一方、撮影者は、コンソール４２を操作して、撮影オーダ情報に含まれる、被検者に関する撮影メニューをディスプレイ１００により表示させ、当該撮影メニューから把握される被検者の撮影部位や撮影条件に応じて、コンソール４２の操作パネル１０２を介して放射線Ｘを照射する際の管電圧、管電流、及び照射期間を指定する曝射条件指定操作を行う。
【０１９１】
コンソール４２は、曝射条件指定操作が行われると、放射線画像撮影処理を実行する。
【０１９２】
次に、図１２を参照して、放射線画像撮影処理の実行時における本第２の実施の形態に係るコンソール４２の作用を説明する。なお、図１２は、この際にコンソール４２のＣＰＵ１０４によって実行される放射線画像撮影処理プログラムの処理の流れを示すフローチャートであり、上記第１の実施の形態に係る放射線画像撮影処理プログラム（図８参照。）と同一の処理を行うステップには当該プログラムと同一のステップ番号を付して、その説明を省略する。
【０１９３】
同図のステップ４０２において否定判定となった場合、ステップ４４０に移行して、外部装置３６に通信ケーブル３８を介して接続されていないために動作モードを制限することを示す情報をディスプレイ１００により表示させるようにディスプレイドライバ１１２を制御し、次のステップ４４２にて所定情報の入力待ちを行う。
【０１９４】
図１３には、上記ステップ４４０の処理によってディスプレイ１００により表示される情報の一例が示されている。同図に示される例では、「本撮影では、外部装置にケーブルで接続する必要がありますが、接続されていないため、動作モードを静止画撮影モードに制限致します。所定の準備をした後、撮影実行ボタンを指定して下さい。」とのメッセージが、撮影実行ボタンと共に表示される。
【０１９５】
同図に示されるような情報がディスプレイ１００により表示されると、撮影者は、ディスプレイ１００により表示されていた撮影メニューから把握される、撮影時における被検者の姿勢（臥位または立位）に応じて、被検者をベッド４６の上方空間の撮影位置５０に横臥させるか、またはラック４５の前方空間における撮影位置４８に立たせる。
【０１９６】
次いで撮影者は、把握した撮影対象部位に応じて、電子カセッテ３２をベッド４６の床面と当該撮影対象部位の間に配置するか、または当該撮影対象部位に対応するラック４５の高さ方向の位置に配置する。
【０１９７】
次いで撮影者は、撮影対象部位の前方に放射線発生装置３４を配置するように支持移動機構５２を操作し、その後にディスプレイ１００により表示されている撮影実行ボタンを指定する。これに応じて上記ステップ４４２が肯定判定となってステップ４４４に移行し、本放射線画像撮影処理プログラムの実行開始前に撮影者によって指定された曝射条件を静止画像の撮影を行う場合の条件に変更するための処理を実行した後、ステップ４１０に移行する。
【０１９８】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１９９】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【０２００】
例えば、上記各実施の形態では、電子カセッテ３２と外部装置３６の外部電源部３６Ｆとを、電子カセッテ３２における電源部９６の電圧変換部９６Ｂの出力端と同一本数の接続線にて接続する場合について説明したが、本発明はこれに限定されるものではなく、例えば、図１４に示すように、電子カセッテ３２に電圧変換部２８を新たに設け、当該電圧変換部２８により、通信ケーブル３８を介して供給される電力から、必要とされる一部の電圧の電力を生成する形態としてもよい。この場合、電子カセッテ３２と外部電源部３６Ｆとの接続線の数を上記各実施の形態に比較して削減することができる。
【０２０１】
また、上記各実施の形態では、電子カセッテ３２に予め搭載する動作モードとして、静止画撮影モードおよび動画撮影モードの各１種類ずつの動作モードを適用した場合について説明したが、本発明はこれに限定されるものではなく、例えば、一例として図１５に示されるような複数種類の静止画撮影モードおよび動画撮影モードに対応する動作切換情報を記憶部９２Ｃ等の記憶手段に予め記憶しておき、当該動作切換情報を用いて、選択された動作モードに応じた制御を行う形態としてもよい。
【０２０２】
ここで、図１５における‘○’は選択された動作モードで用いる部位を示し、‘×’は選択された動作モードで用いない部位を示している。なお、同図における「電源系」は電源部９６に対応し、「画像処理系」は画像処理系ブロック２０に対応し、「無線通信系」は無線通信系ブロック２２に対応し、「有線通信系」は有線通信系ブロック２４に対応し、「外部電源変換系」は図１４に示される構成における電圧変換部２８に対応している。また、同図における「緊急」は、バッテリ９６Ａの残容量の低減に伴い、バッテリ９６Ａから供給される電力では電子カセッテ３２の各部への電力供給ができなくなった場合に、緊急的に外部電源部３６Ｆから電力を供給する場合の動作モードを示している。
【０２０３】
ここで、同図における静止画撮影モードのタイプＡが上記各実施の形態に係る静止画撮影モードに対応し、動画撮影モードのタイプＡが上記各実施の形態に係る動画撮影モードに対応する。また、静止画撮影モードのタイプＢにおいて有線通信系ブロック２４におけるバッファメモリ２４Ａおよびフォーマット変換部２４Ｂを用いることが示されているが、これは、無線通信系ブロック２２のバッファメモリ２２Ａと兼用して用いるものである。また、動画撮影モードのタイプＣ〜タイプＦにおいて無線通信系ブロック２２におけるバッファメモリ２２Ａおよびフォーマット変換部２２Ｂを用いることが示されているが、これは、有線通信系ブロック２４のバッファメモリ２４Ａと兼用して用いるものである。さらに、動画撮影モードのタイプＤおよびタイプＥにおいて共に電圧変換部９６Ｂを一部用いることが示されているが、タイプＤでは、電圧変換幅や消費電力が比較的大きな電圧を除いて電圧変換部９６Ｂを用い、タイプＥでは、ノイズに敏感な電圧のみ電圧変換部９６Ｂを用いるものである。
【０２０４】
この場合も、上記各実施の形態と同様の効果を奏することができる。
【０２０５】
また、上記各実施の形態では、電子カセッテ３２においてコンソール４２から動画撮影モードを示す情報が受信された場合に外部装置３６を用いるように切り換える場合について説明したが、本発明はこれに限定されるものではなく、例えば、電子カセッテ３２が外部装置３６に通信ケーブル３８を介して接続された場合に外部装置３６を用いるように切り換える形態としてもよい。
【０２０６】
この場合の形態例としては、電子カセッテ３２が外部装置３６に通信ケーブル３８を介して接続された際に、図７に示される動作モード設定処理プログラムにおけるステップ３１０〜ステップ３１８の処理を実行し、電子カセッテ３２が外部装置３６に接続された状態から外された状態に移行した場合に、同プログラムのステップ３０２〜ステップ３０６の処理を実行する形態を例示することができる。この場合、より簡易に発熱量を抑制することができる。
【０２０７】
また、上記各実施の形態では、電子カセッテ３２に外部装置３６が接続された場合、画像処理系ブロック２０および無線通信系ブロック２２に供給している同期制御用のクロック信号および駆動用の電力を停止させるように制御する場合について説明したが、本発明はこれに限定されるものではなく、上記同期制御用のクロック信号および駆動用の電力の何れか一方のみを停止させるように制御する形態としてもよいし、さらには、上記同期制御用のクロック信号の周波数および駆動用の電力の少なくとも一方を低減させるように制御する形態としてもよい。
【０２０８】
なお、この場合、電子カセッテ３２に省電力モードが搭載されており、当該省電力モードが画像処理系ブロック２０および無線通信系ブロック２２の少なくとも一方による消費電力を低減させるものである場合、電子カセッテ３２に外部装置３６が接続された場合に当該省電力モードに移行させる形態としてもよい。
【０２０９】
この場合、予め搭載されている省電力モードを利用して発熱量を低減させることができるため、より簡易に本発明を実現することができる。
【０２１０】
また、上記各実施の形態では、本発明の予め定められた発熱量以上に発熱する動作モードとして動画撮影モードを適用した場合について説明したが、本発明はこれに限定されるものではなく、例えば、電子カセッテ３２における画像データの転送速度が、発熱量が前記予め定められた発熱量以上に発熱するものとして予め定められた速度以上となる動作モード、放射線検出器６０による撮影画像の画素数が、発熱量が前記予め定められた発熱量以上に発熱するものとして予め定められた画素数以上となる動作モード等を適用する形態としてもよい。これらの場合も、上記各実施の形態と同様の効果を奏することができる。
【０２１１】
また、上記各実施の形態では、外部装置３６を単体構成とした場合について説明したが、本発明はこれに限定されるものではなく、外部装置３６をコンソール４２等の他の装置に組み込む形態としてもよい。この場合も、上記各実施の形態と同様の効果を奏することができる。
【０２１２】
また、上記各実施の形態では、外部装置３６に対して画像処理を行う機能および電源電力を供給する機能の双方を設けておき、電子カセッテ３２に接続された際には、これらの双方の機能を用いる場合について説明したが、本発明はこれに限定されるものではなく、外部装置３６に、これらの何れか一方の機能を設けておき、電子カセッテ３２に接続された際には当該機能のみを用いる形態としてもよい。
【０２１３】
また、上記第１の実施の形態では、動画撮影を行うにもかかわらず、電子カセッテ３２に外部装置３６が接続されていない場合、放射線画像撮影処理プログラムのステップ４３６およびステップ４３８の処理により放射線撮影禁止処理および警告の報知の双方を実行する場合について説明したが、本発明はこれに限定されるものではなく、上記放射線撮影禁止処理および警告の報知の何れか一方のみを実行する形態としてもよい。この場合も、上記第１の各実施の形態と略同様の効果を奏することができる。
【０２１４】
また、上記第２の実施の形態では、電子カセッテ３２に予め搭載する動作モードとして静止画撮影モードおよび動画撮影モードの２種類の動作モードを適用し、外部装置３６に接続されている場合に何れの動作モードも選択可能とし、外部装置３６に接続されていない場合には静止画撮影モードのみを選択可能とした場合について説明したが、本発明はこれに限定されるものではなく、電子カセッテ３２に３種類以上の動作モードを予め搭載しておき、外部装置３６に接続されている場合には、接続されていない場合に比較して、より多くの動作モードを選択可能とする形態としてもよい。この場合も、上記第２の実施の形態と同様の効果を奏することができる。
【０２１５】
その他、上記各実施の形態で説明したＲＩＳ１０の構成（図１参照。）、放射線撮影室の構成（図２参照。）、電子カセッテ３２の構成（図３参照。）、撮影システム１８の構成（図４，図１４参照。）は一例であり、本発明の主旨を逸脱しない範囲内において、不要な部分を削除したり、新たな部分を追加したり、接続状態を変更したりすることができることは言うまでもない。
【０２１６】
また、上記各実施の形態で説明した撮影オーダ情報の構成（図５参照。）も一例であり、本発明の主旨を逸脱しない範囲内において、不要な情報を削除したり、新たな情報を追加したり、情報を変更したりすることができることは言うまでもない。
【０２１７】
また、上記各実施の形態で説明した各種処理プログラムの処理の流れ（図６〜図８，図１１〜図１２参照。）も一例であり、本発明の主旨を逸脱しない範囲内において、不要なステップを削除したり、新たなステップを追加したり、処理順序を入れ換えたりすることができることは言うまでもない。
【０２１８】
さらに、上記各実施の形態で説明した表示情報（図９〜図１０，図１３参照。）も一例であり、本発明の主旨を逸脱しない範囲内において、表示内容を変更することができることは言うまでもない。
【符号の説明】
【０２１９】
１８    放射線画像撮影システム
２０    画像処理系ブロック
２０Ａ    バッファメモリ
２０Ｂ    補正処理部
２０Ｃ    補正データメモリ
２０Ｄ    画像処理部
２２    無線通信系ブロック
２２Ａ    バッファメモリ
２２Ｂ    フォーマット変換部
２２Ｃ    無線通信部
２４    有線通信系ブロック
２４Ａ    バッファメモリ
２４Ｂ    フォーマット変換部
２４Ｃ    有線通信部
２４Ｄ    電源フィルタ
２６    接続端子
２８    電圧変換部
３２    電子カセッテ
３４    放射線発生装置
３６    外部装置
３６Ａ    外部装置制御部
３６Ｂ    バッファメモリ
３６Ｃ    補正処理部
３６Ｄ    補正データメモリ
３６Ｅ    画像処理部
３６Ｆ    外部電源部
３６Ｇ    接続端子
３６Ｈ    接続端子
３７    通信ケーブル
３８    通信ケーブル
３９    接続端子
４２    コンソール
６０    放射線検出器
８０    ゲート線ドライバ
８２    信号処理部
９２    カセッテ制御部
９２Ａ    ＣＰＵ
９２Ｂ    メモリ
９２Ｃ    記憶部
９６    電源部
９６Ａ    バッテリ
９６Ｂ    電圧変換部
９６Ｃ    電源フィルタ
１００    ディスプレイ
１０４    ＣＰＵ
１１８    有線通信部
１２０    無線通信部
【図１】
0005500933.tif 000002
【図２】
0005500933.tif 000003
【図３】
0005500933.tif 000004
【図４】
0005500933.tif 000005
【図５】
0005500933.tif 000006
【図６】
0005500933.tif 000007
【図７】
0005500933.tif 000008
【図８】
0005500933.tif 000009
【図９】
0005500933.tif 000010
【図１０】
0005500933.tif 000011
【図１１】
0005500933.tif 000012
【図１２】
0005500933.tif 000013
【図１３】
0005500933.tif 000014
【図１４】
0005500933.tif 000015
【図１５】
0005500933.tif 000016